(57)【要約】  本発明は、ＨＳＤＰＡのためのチャネルを使用するＣＤＭＡ移動通信システムにおいて、逆方向専用物理チャネルの伝送電力制御のための方法及び装置を提供する。前記方法及び装置は、ノードＢがＨＳＤＰＡのための逆方向制御チャネルを信頼的に解析することを可能にする。前記方法及び装置は、ＨＳＤＰＡのための制御チャネル及びその他の制御及びデータチャネルの電力制御を同時に遂行することができる。
2005510173.tif 000002
【特許請求の範囲】
【請求項１】
順方向専用物理チャネルを通じて専用データ及び高速データ共有チャネルを通じた高速パケットデータを同時に提供する第１ノードＢと、
前記第１ノードＢに隣接した少なくとも１つの第２ノードＢと、
前記第１ノードＢ及び前記第２ノードＢに逆方向専用データチャネルを通じた専用データを伝送し、第１次逆方向専用制御チャネルを通じて前記専用データの受信に必要なパイロットビット情報及び伝送電力制御情報を含む制御情報を伝送し、３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が前記第２ノードＢが順方向専用物理チャネルを通じた専用データを提供ずるソフトハンドオーバー領域に位置する時、前記第１次逆方向専用制御チャネル及び前記第２次逆方向専用制御チャネルの電力を制御する移動端末と、を含む符号分割多重接続移動通信システムにおける逆方向送信電力制御方法において、
３つのスロットのうち少なくとも１つのスロットにパイロットビット情報を割り当てた後、前記サブフレームを伝送する過程と、
前記第１ノードＢから前記パイロットビット情報に対する伝送電力制御情報を前記順方向専用物理チャネルを通じて受信する過程と、
前記伝送電力制御情報によって前記第２次逆方向専用制御チャネルに対する送信電力を制御する過程と、
を含むことを特徴とする方法。
【請求項２】
前記伝送電力制御情報は、所定の伝送時点で受信され、前記伝送時点以外の伝送時点では前記第１次逆方向専用制御チャネルを通じて伝送されたパイロットビット情報に対応する伝送電力制御情報が受信されることを特徴とする請求項１に記載の方法。
【請求項３】
前記移動端末がソフトハンドオーバー領域に位置しない時、前記第２次逆方向専用制御チャネルを通じて伝送される前記パイロットビット情報を不連続伝送処理することを特徴とする請求項１に記載の方法。
【請求項４】
前記伝送電力制御情報によって制御された前記第２次逆方向専用制御チャネルに対する送信電力が所定の臨界値を超過すると、前記第２次逆方向専用制御チャネルに対する送信電力を前記所定の臨界値として設定することを特徴とする請求項１に記載の方法。
【請求項５】
前記サブフレームによって伝送される前記パイロットビット情報は前記確認情報と前記順方向チャネル状態情報との間に伝送されることを特徴とする請求項１に記載の方法。
【請求項６】
前記パイロットビット情報は、前記確認情報及び前記順方向チャネル情報を伝送するサブフレームの以前サブフレームの最後の一定区間で伝送することを特徴とする請求項１に記載の方法。
【請求項７】
前記パイロットビット情報は、前記サブフレームによって伝送される時、前記確認情報及び前記順方向チャネル状態情報に優先して伝送されることを特徴とする請求項１に記載の方法。
【請求項８】
順方向専用物理チャネルを通じて専用データ及び高速データ共有チャネルを通じた高速パケットデータを同時に提供し、第１及び第２逆方向専用制御チャネルの電力を制御する第１ノードＢと、
前記第１ノードＢに隣接した少なくとも１つの第２ノードＢと、
３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が第２ノードＢが順方向専用物理チャネルを通じて専用データを提供するソフトハンドオーバー領域に位置する時、前記第１ノードＢ及び前記第２ノードＢに逆方向専用データチャネルを通じた専用データを伝送し、第１次逆方向専用制御チャネルを通じて前記専用データの受信に必要なパイロットビット情報及び伝送電力制御情報を含む制御情報を伝送する移動端末と、を含む符号分割多重接続移動通信システムにおける逆方向伝送電力制御方法において、
前記３つのスロットのうち少なくとも１つのスロットによって伝送されるパイロットビット情報に対応して前記第２次逆方向専用制御チャネルの電力制御のための第２伝送電力制御情報を生成する過程と、
前記第２伝送電力制御情報の伝送時点で前記第２伝送電力制御情報を前記順方向専用物理チャネルを通じて伝送する過程と、
を含むことを特徴とする方法。
【請求項９】
前記第１次逆方向専用制御チャネルを通じて伝送されるパイロットビット情報に対応して前記第１次逆方向専用制御チャネルの電力制御のための第１伝送電力制御情報を生成する過程と、
前記第２伝送電力制御情報の伝送時点以外の伝送時点で前記第１伝送電力制御情報を前記順方向専用物理チャネルを通じて伝送する過程と、をさらに含むことを特徴とする請求項８に記載の方法。
【請求項１０】
前記順方向伝送物理チャネルの伝送電力は、前記第１次逆方向専用制御チャネルを通じて伝送される伝送電力制御情報によって制御されることを特徴とする請求項９に記載の方法。
【請求項１１】
前記サブフレームによって伝送されるパイロットビット情報は、前記確認情報と前記順方向チャネル状態情報との間に伝送されることを特徴とする請求項８に記載の方法。
【請求項１２】
前記パイロットビット情報は、前記確認情報及び前記順方向チャネル情報を伝送するサブフレームの以前サブフレームの最後の一定区間で伝送されることを特徴とする請求項８に記載の方法。
【請求項１３】
前記パイロットビット情報は、前記サブフレームによって伝送される時、前記確認情報及び前記順方向チャネル状態情報に優先して伝送されることを特徴とする請求項８に記載の方法。
【請求項１４】
順方向専用物理チャネルを通じて専用データ及び高速データ共有チャネルを通じた高速パケットデータを同時に提供する第１ノードＢと、
前記第１ノードＢと隣接した少なくとも１つの第２ノードＢと、
前記第１ノードＢ及び前記第２ノードＢに逆方向専用データチャネルを通じた専用データを伝送し、第１次逆方向専用制御チャネルを通じて前記専用データの受信に必要なパイロットビット情報及び伝送電力制御情報を含む制御情報を伝送し、３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が前記第２ノードＢが順方向専用物理チャネルを通じた専用データを提供ずるソフトハンドオーバー領域に位置する時、前記第１次逆方向専用制御チャネル及び前記第２次逆方向専用制御チャネルの電力を制御する移動端末と、を含む符号分割多重接続移動通信システムにおける逆方向送信電力制御装置において、
前記３つのスロットのうち少なくとも１つのスロットにパイロットビット情報を割り当てた後前記サブフレームを伝送する送信装置と、
前記第１ノードＢから前記パイロットビット情報に対応する伝送電力制御情報を前記順方向専用物理チャネルを通じて受信し、前記伝送電力制御情報によって前記第２次逆方向専用制御チャネルに対する送信電力を制御する受信装置と、
を含むことを特徴とする装置。
【請求項１５】
前記受信装置は、前記伝送電力制御情報を所定の伝送時点で受信し、前記伝送時点以外の伝送時点で前記第１次逆方向専用制御チャネルを通じて伝送されたパイロットビット情報に対応する伝送電力制御情報を受信することを特徴とする請求項１４に記載の装置。
【請求項１６】
記送信装置は、前記移動端末がソフトハンドオーバー領域に位置しない時、前記第２次逆方向専用制御チャネルを通じて伝送される前記パイロットビット情報を不連続伝送処理することを特徴とする請求項１４に記載の装置。
【請求項１７】
前記送信装置は、前記伝送電力制御情報によって制御された前記第２次逆方向専用制御チャネルに対する送信電力が所定の臨界値を超過すると、前記第２次逆方向専用制御チャネルに対する送信電力を前記所定の臨界値として設定することを特徴とする請求項１４に記載の装置。
【請求項１８】
前記送信装置は、前記パイロットビット情報を前記サブフレームによって伝送する時、前記確認情報と前記順方向チャネル状態情報との間に伝送することを特徴とする請求項１４に記載の装置。
【請求項１９】
前記送信装置は、前記パイロットビット情報を前記確認情報及び前記順方向チャネル情報を伝送するサブフレームの以前サブフレームの最後の一定区間で伝送することを特徴とする請求項１４に記載の装置。
【請求項２０】
前記送信装置は、前記パイロットビット情報を前記サブフレームによって伝送する時、前記パイロットビット情報を前記確認情報及び前記順方向チャネル状態情報に優先して伝送することを特徴とする請求項１４に記載の装置。
【請求項２１】
順方向専用物理チャネルを通じて専用データ及び高速データ共有チャネルを通じた高速パケットデータを同時に提供し、第１及び第２逆方向専用制御チャネルの電力を制御する第１ノードＢと、
前記第１ノードＢと隣接した少なくとも１つの第２ノードＢと、
３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が第２ノードＢが順方向専用物理チャネルを通じて専用データを提供するソフトハンドオーバー領域に位置する時、前記第１ノードＢ及び前記第２ノードＢに逆方向専用データチャネルを通じた専用データ、及び第１次逆方向専用制御チャネルを通じて前記専用データの受信に必要なパイロットビット情報及び伝送電力制御情報を含む制御情報を伝送する移動端末と、を含む符号分割多重接続移動通信システムにおける逆方向伝送電力制御装置において、
前記３つのスロットのうち少なくとも１つのスロットによって伝送されるパイロットビット情報に対応して第２チャネル推定結果を獲得する受信装置と、
前記第２次逆方向専用制御チャネルの電力制御のための第２伝送電力制御情報を生成し、前記第２伝送電力制御情報の伝送時点で前記第２伝送電力制御情報を前記順方向専用物理チャネルを通じて伝送する送信装置と、
を含むことを特徴とする装置。
【請求項２２】
前記受信装置は、前記第１次逆方向専用制御チャネルを通じて伝送されるパイロットビット情報に対応して前記第１次逆方向専用制御チャネルの電力制御のための第１伝送電力制御情報を生成し、
前記送信装置は、前記第２伝送電力制御情報の伝送時点以外の伝送時点で前記第１伝送電力制御情報を前記順方向専用物理チャネルを通じて伝送することを特徴とする請求項２１記載の記装置。
【請求項２３】
前記送信装置は、前記順方向伝送物理チャネルの伝送電力を前記第１次逆方向専用制御チャネルを通じて伝送される伝送電力制御情報によって制御することを特徴とする請求項２２に記載の装置。
【請求項２４】
前記パイロットビット情報は、前記サブフレームによって伝送される時、前記確認情報と前記順方向チャネル状態情報との間に伝送されることを特徴とする請求項２１に記載の装置。
【請求項２５】
前記パイロットビット情報は、前記確認情報及び前記順方向チャネル情報を伝送するサブフレームの以前サブフレームの最後の一定区間で伝送されることを特徴とする請求項２１に記載の装置。
【請求項２６】
前記パイロットビット情報が前記サブフレームによって伝送される時、前記パイロットビット情報は、前記確認情報及び前記順方向チャネル状態情報に優先して伝送されることを特徴とする請求項２１に記載の装置。
【発明の詳細な説明】
【技術分野】
【０００１】
本発明は、符号分割多重接続(ＣＤＭＡ)通信システムの逆方向送信電力制御装置及び方法に関し、特に、逆方向専用物理チャネルの電力制御のための装置及び方法に関する。
【背景技術】
【０００２】
通常に、順方向高速パケット接近(High Speed Data Packet Access: 以下、ＨＳＤＰＡと称する)方式は、符号分割多重接続通信システムにおいて順方向高速パケット伝送を支援するための順方向データチャネル(High Speed - Downlink Shared Channel: ＨＳ−ＤＳＣＨ)、これに関連した制御チャネル、これらのための装置及び方法の総称である。
【０００３】
前記ＨＳＤＰＡ方式を適用する符号分割多重接続通信システムでは、高速パケット伝送を支援するために以下の３つの方式を新しく導入した。
(１)適応変調／コーディング方式(Adaptive Modulation and Coding Scheme : ＡＭＣＳ)は、セル(cell)と使用者との間のチャネル状態によってデータチャネルの変調方式及びコーディング方式を決定するので、セル全体の使用効率が増加する。前記変調方式及びコーディング方式の組み合わせは、変調／コーディング方式(Modulation and Coding Scheme: ＭＣＳ)と言い、複数のＭＣＳが存在する。前記ＡＭＣＳは、使用者とセルとの間のチャネル状態によって前記ＭＣＳのうち選択された最適のＭＣＳである。
(２)複合再伝送(Hybrid Automatic Re-transmission Request: ＨＡＲＱ)方式の１つである多チャネル停止-待機混合自動再伝送(n-channel Stop And Wait Hybrid Automatic Re-transmission Request : ｎ−ｃｈａｎｎｅｌ ＳＡＷ ＨＡＲＱ)方式に関して説明すると、既存のＡＲＱ方式は、移動端末(ＵＥ)とノードＢ制御器との間に認知(Acknowledgement: ＡＣＫ)及び再伝送パケットが交換される。しかしながら、前記ＨＳＤＰＡにおいては、ＵＥとノードＢのＭＡＣ階層との間にＡＣＫ及び再伝送パケットが交換される。さらに、ｎ個の論理的なチャネルを構成してＡＣＫを受信しなかった状態でも複数のパケットを伝送することを可能にした。より詳細に説明すると、以下のようである。通常の停止-待機自動再伝送(Stop and Wait ARQ)方式においては、以前のパケットのＡＣＫを受けるまで次のパケットを伝送しない。つまり、ノードＢは、パケットを伝送することが可能であるにもかかわらず前記ＡＣＫを待機すべきである。しかしながら、前記ｎ−ｃｈａｎｎｅｌ ＳＡＷ ＨＡＲＱにおいて、ノードＢは、以前パケットのＡＣＫを受信しなかった状態で複数の次のパケットを連続的に伝送することができることによって、チャネルの使用効率を高めることができる。つまり、ＵＥとノードＢとの間にｎ個の論理的なチャネルを設定し、論理的チャネルの特定時間またはチャネル番号によって論理的チャネルを識別することができる場合、受信側であるＵＥは、任意の時点で受信されたパケットがどのチャネルに属するパケットであるかを判断することができる。さらに、受信されるべき順でパケットを再構成することができる。
【０００４】
(３)高速セル選択(Fast Cell Selection : ＦＣＳ)方式に関して説明すると、以下のようである。前記ＦＣＳ方式は、前記ＨＳＤＰＡを使用しているＵＥがセル重畳地域(soft handover region)に進入する場合、最良のチャネル状態を維持しているセルのみからパケットを受信することによって全体的な干渉(interference)を低減する。さらに、最良のチャネル状態を提供するセルが変更される場合、前記ＵＥは、前記セルのＨＳ−ＤＳＣＨからパケットを受信し、この時、伝送断絶時間が最小になるようにする。
【０００５】
前述したように、ＨＳＤＰＡに導入された技術を適用するために、ＵＥとノードＢ(または、セル)との間に新しい制御信号が交換される。前記ノードＢ(または、セル)からＵＥに伝送されるべき情報は、ＨＳ−ＤＳＣＨが伝送されるチャネル符号、ＨＳ−ＤＳＣＨのために使用されるＭＣＳレベル、受信されたＨＳ−ＤＳＣＨを解析するために必要な符号情報のような復号と関連した情報、ＨＳ−ＤＳＣＨが伝送されるパケットに関する情報などを含む。前記チャネル符号は、ＨＳ−ＤＳＣＨにおいて基本的に高速伝送のために多重符号伝送(Multi Code Transmission)方式が使用されることによって要求される。さらに、前記パケットに関する情報は、受信されたパケットがどのチャネルの何番目のパケットであるかに関する情報、初期伝送でなるか、または、再伝送であるかに関連するＨＡＲＱ情報などを含むことができる。ＵＥからノードＢ(または、セル)に伝送されるべき情報は、受信されたパケットに対するＡＣＫまたはＮＡＣＫ(Negative Acknowledgment)情報、ＡＭＣ及びＦＣＳを支援するためのＵＥとノードＢ(または、セル)との間のチャネル状況などを含む。ＦＣＳの場合、最良のチャネル状態を有するセルが変わる場合、ＵＥは、ノードＢ(または、セル)にその情報を伝送し、前記最適のセルがＨＳ−ＤＳＣＨを前記ＵＥに正しく伝送できるようにする。
【０００６】
図１は、ＵＥがセル重畳領域に位置する時、複数のセルとＵＥとの間の順方向及び逆方向チャネル関係を示す図である。図１においては、説明の便宜のために、セル重畳地域内のセルの数を２つに制限しているが、セル重畳地域内のセルの数が２つ以上である場合も、図１の説明に提示された問題が発生することができる。
【０００７】
図１を参照すると、セル＃１(１０１)は、ＨＳ−ＤＳＣＨをＵＥ１１１に伝送するセルであり、優先セル(Primary Cell)と称する。前記セル＃１(１０１)から前記ＵＥ１１１には、順方向専用物理チャネル(Downlink Dedicated Physical Channel: 以下、ＤＬ＿ＤＰＣＨと称する。)及び高速順方向物理共有チャネル(High Speed Physical Downlink Shared Channel: 以下、ＨＳ−ＰＤＳＣＨと称する)が伝送され、前記ＵＥ１１１から前記セル＃１(１０１)には、第１逆方向専用物理チャネル(Primary_Uplink Dedicated Physical Channel: 以下、Ｐ＿ＵＬ ＤＰＣＨと称する。)及び第２逆方向専用物理制御チャネル(Secondary_Uplink Dedicated Physical Channel: 以下、Ｓ＿ＵＬ＿ＤＰＣＣＨと称する)が伝送される。セル＃２(１０３)は、前記セル＃１(１０１)の隣接セルであり、前記ＵＥ１１１にＤＬ＿ＤＰＣＨを伝送し、前記ＵＥ１１１からＵＬ＿ＤＰＣＨを受信する。
【０００８】
図２Ａないし図２Ｃは、図１示す順方向チャネルの構造を示し、図３Ａ及び図３Ｂは、図１に示す逆方向チャネルの構造を示す。
図２Ａは、図１のセル＃１(１０１)からＵＥ１１１に伝送されるＨＳ−ＰＤＳＣＨの構造を示す。前記ＨＳ−ＰＤＳＣＨは、０。６６７msecの長さを有する３つのスロットから構成され、使用されるＭＣＳレベル及び使用されるチャネル符号の数によって決定される伝送率を有する。前記チャネル符号は、非同期移動通信システムにおいて異なる上／下向チャネルを区別するために使用され、４ビット〜５１２ビットの長さを有する。各チャネル符号の長さは、データの拡散率を意味する。
【０００９】
図２Ｂは、図１のセル＃１(１０１)及びセル＃２(１０３)からＵＥ１１１に伝送されるＤＬ＿ＤＰＣＨの構造を示す。前記ＤＬ＿ＤＰＣＨは、順方向専用物理データチャネル(Downlink dedicated Physical Data Channel: 以下、ＤＬ＿ＤＰＤＣＨと称する。)及び逆方向専用物理制御チャネル(Downlink dedicated Physical Control Channel: 以下、ＤＬ＿ＤＰＣＣＨと称する。)から構成される。前記ＤＬ＿ＤＰＣＨの構造において、前記ＤＬ＿ＤＰＤＣＨに対応する第１データ領域２１２及び第２データ領域２１５を通じて上位レイヤーシグナリングまたは音声データのような使用者データが伝送される。前記ＤＬ＿ＤＰＣＨの構造において、前記ＤＬ＿ＤＰＣＣＨは、ＴＰＣ(Transmit Power Control Command: 以下、ＴＰＣと称する。)フィールド２１３、伝送形態組み合わせ指示者(Transmitted Format Combination Indicator: 以下、ＴＦＣＩと称する。)フィールド２１４及びパイロットフィールド２１６に対応する。前記ＴＰＣフィールド２１３は、ＵＥからセルへの逆方向伝送チャネルの電力制御のための電力制御命令語を伝送するフィールドである。前記ＴＦＣＩフィールド２１４は、伝送速度、チャネル構成形態及びチャネル復号に必要な情報のような、前記第１データ領域２１２及び前記第２データ２１５のＴＦＣに関する情報を伝送する。前記パイロットフィールド２１６は、セルからＵＥへの順方向チャネルをＵＥが推定するのに使用されるフィールドである。前記第１データ領域２１２からパイロットフィールド２１６までは、２５６０チップの長さを有する１つのスロットから構成され、１５個のスロットは、１０msの長さを有する１つのラジオフレームを形成する。前記ラジオフレームは、非同期方式の標準である３ＧＰＰにおいて使用する最も基本的な物理伝送単位である。前記ＤＬ＿ＤＰＣＨは、ＵＥがセル重畳地域に位置する場合、セル重畳地域内の全てのセル(または、ノードＢ)が前記ＵＥに伝送するチャネルである。例えば、図１を参照すると、前記セル＃１(１０１)及びセル＃２(１０３)が前記ＤＬ＿ＤＰＣＨをＵＥ１１１に伝送する。
【００１０】
図２Ｃは、高速共有制御チャネル(Highspeed-Shared Control Channel :以下、ＨＳ−ＳＣＣＨと称する。)の構造を示す図である。前記ＨＳ−ＳＣＣＨは、前記セル＃１(１０１)からＵＥ１１１に伝送されるＨＳ＿ＤＳＣＨの受信に必要な制御情報を伝送するチャネルであり、ＨＳＤＰＡサービスを提供する該当ノードＢ(または、セル)内のＵＥによって交互に受信される共有チャネルである。前記ＨＳ−ＳＣＣＨは、任意の時点で１つのＵＥまたは複数のＵＥにＨＳ−ＤＳＣＨの受信に必要な制御情報を伝送することができる。前記ＨＳ−ＳＣＣＨは、３つのスロット２２１を基本単位にし、前記３つのスロット２２１の間に伝送形態資源指示者(Transmitted Format Resource Indicator: 以下、ＴＦＲＩと称する。)２２３及びＨＡＲＱ情報２２５を伝送する。前記ＴＦＲＩ２２３は、ＨＳ＿ＤＳＣＨのために使用されたＭＣＳレベル、チャネル符号の数及び種類、及びＨＳ−ＤＳＣＨの復号に必要な情報を含む。前記ＨＡＲＱ情報２２５は、ｎ−ｃｈａｎｎｅｌ ＳＡＷ ＨＡＲＱ 方式を使用するＨＳＤＰＡにおいて何番面のチャネルの伝送であるかを示し、ＨＳ−ＰＤＳＣＨを通じて伝送されるパケットが初期伝送パケットであるか、それとも、エラーによって再伝送されるパケットであるかを示す。前記ＨＳ−ＳＣＣＨは、ＨＳＤＰＡを伝送するセルから前記ＨＳＤＰＡを受信するＵＥのみに伝送されるチャネルであり、前記ＵＥがセル重畳地域内に位置していても、ＨＳＤＰＡを伝送するセルのみから受信されるチャネルである。例えば、図１を参照すると、ＨＳ＿ＤＳＣＨを伝送するセル＃１(１０１)のみがＵＥ１１１に前記ＨＳ−ＳＣＣＨを伝送する。
【００１１】
図３Ａないし図３Ｂは、図２Ａないし図２Ｃに示す順方向チャネルに対応する逆方向チャネルの構造を示す。図３Ａは、逆方向専用物理チャネル(Uplink Dedicated Physical Channel: 以下、ＵＬ＿ＤＰＣＨと称する。)を示し、逆方向専用物理データチャネル(Uplink Dedicated Physical Data Channel: 以下、ＵＬ＿ＤＰＤＣＨと称する。)及び逆方向専用物理制御チャネル(Uplink Dedicated Physical Control Channel: 以下、ＵＬ＿ＤＰＣＣＨと称する)から構成される。前記ＵＬ＿ＤＰＤＣＨは、ＵＥから少なくとも１つのセルへの逆方向制御情報または使用者情報などが伝送されるチャネルであり、前記ＵＬ＿ＤＰＣＣＨは、物理制御情報が伝送されるチャネルであり、各フィールドの機能は、基本的に前述したＤＬ＿ＤＰＣＣＨと同一である。前記ＵＬ＿ＤＰＣＣＨ及びＵＬ＿ＤＰＤＣＨは、異なるチャネル符号を通じてチャネル符号化され、ＱＰＳＫ(Quadrature Phase Shift Keying :以下 ＱＰＳＫと称する。)のＩチャネル及びＱチャネルによって伝送される。前記ＵＬ＿ＤＰＣＨの基本伝送単位は、１０msのラジオフレームであり、前記１０msのラジオフレームは、１５個のスロットから構成される。前記スロットは、パイロットフィールド３１２、ＴＦＣＩフィールド３１３、ＦＢＩ(feedback information)フィールド３１４及びＴＰＣフィールド３１５から構成される。前記パイロットフィールド３１２は、前記ＵＬ＿ＤＰＣＨを受信する少なくとも１つのセルがＵＥからセルまでの逆方向チャネル環境を推定することを可能にする。ＴＦＣＩフィールド３１３は、前記ＵＬ＿ＤＰＤＣＨの伝送組み合わせ形態指示者を伝送するチャネルであり、前記ＵＬ＿ＤＰＤＣＨに使用されるチャネル符号及び伝送速度、復号に必要な情報、またはＵＬ＿ＤＰＤＣＨによって伝送されるデータの種類を示す。前記ＦＢＩフィールド３１４は、順方向伝送方式が閉ループアンテナ方式を使用する場合、前記閉ループアンテナ方式のための制御情報を送信する。さらに、セル重畳地域に位置するＵＥが良い順方向チャネル環境の１つのノードＢのみからＤＬ＿ＤＰＤＣＨを受信するための地域選択ダイバーシティ(Site Selection Diversity Transmission :以下、ＳＳＤＴと称する。)を使用する場合、前記ＳＳＤＴを支援するための制御情報を伝送するフィールドである。前記ＳＳＤＴは、ＦＣＳという機能に発展してＨＳＤＰＡに新しく導入されて技術である。前記ＴＰＣフィールド３１５は、ノードＢまたはセルからの順方向チャネルの伝送電力を制御するための電力制御命令語を伝送するチャネルである。図３Ａに示すＵＬ＿ＤＰＣＨは、ＵＥがセル重畳地域内に存在する場合、セル重畳地域内の全てのセルが受信するチャネルである。例えば、図１を参照すると、ＵＥ１１１が伝送するＵＬ＿ＤＰＣＨは、セル＃１(１０１)及びセル＃２(１０３)の両方ともによって受信される。
【００１２】
図３Ｂに示すＳ−ＵＬ＿ＤＰＣＣＨは、ＨＳＤＰＡを使用するＵＥからの制御情報を伝送するチャネルである。前述したように、ＨＳＤＰＡを使用するＵＥは、ＨＳＤＰＡを伝送するノードＢまたはセルへ受信されたパケットに対するＡＣＫまたはＮＡＣＫ情報と共にＭＣＳレベルまたは最適セルを選択するためのチャネル測定情報を伝送することができる。前記情報は、Ｓ−ＵＬ＿ＤＰＣＣＨを通じて伝送され、ＡＣＫ／ＮＡＣＫ情報３２３のみが１つのスロットまたは３つのスロットの間に伝送されることができる。さらに、測定報告(measurement report)情報３２５も１つまたは３つのスロットの間に伝送されることができる。前記ＡＣＫまたはＮＡＣＫ情報及び測定報告情報は、前記ＵＥが伝送する必要のある場合のみに伝送できる情報であり、伝送する必要のない場合は、一般的に、不連続伝送(Discontinuous transmission: ＤＴＸ)処理する。前記Ｓ−ＵＬ＿ＤＰＣＣＨの使用は、ＨＳＤＰＡサービスの導入によって従来のＵＬ＿ＤＰＣＨの構造を変更せずに、新しいチャネルを導入することによってＨＳＤＰＡを支援しない従来の３ＧＰＰ通信システムとの互換性のためである。前記Ｓ＿ＵＬ＿ＤＰＣＣＨは、ＨＳＤＰＡを伝送するセルのみに伝送されるチャネルであり、ＵＥがセル重畳地域に位置していてもＨＳＤＰＡを伝送するセル(または、ノードＢ)のみに伝送される。例えば、図１を参照すると、ＵＥ１１１は、セル＃１(１０１)のみにＳ＿ＵＬ＿ＤＰＣＣＨを伝送し、セル＃２(１０３)には伝送しない。
【００１３】
図２Ａないし図２Ｃ及び図３Ａないし図３Ｂを通じて前述されたチャネルを伝送し受信することにおいて、セル重畳地域における従来の電力制御方法は通常のセル重畳地域内の電力制御方法を使用する。前記通常のセル重畳地域内の電力制御方法は、図１を参照すると、前記ＵＥ１１１から伝送されるＵＬ＿ＤＰＣＨがセル＃１(１０１)及びセル＃２(１０３)によって受信された後、前記セル１０１、１０３を制御するＲＮＣは電力制御命令を解析する。従って、前記セル＃１(１０１)及びセル＃２(１０３)のいずれか１つが適正値を超過する送信電力の信号を受信すると、前記対応するセルは、ＵＥからの過多送信電力によるセル重畳地域内における干渉雑音発生の抑制するためにＵＥ１１１に逆方向送信電力を低下しろとの命令語を伝送する。一方、順方向受信信号に対しても、ＵＥ１１１はセル＃１(１０１)及びセル＃２(１０３)から伝送されるＤＬ＿ＤＰＣＨを同時に受信するので、前記ＤＬ＿ＤＰＣＨの送信電力が適正値を超過すると、セル重畳地域内における干渉雑音発生を抑制するために、順方向伝送電力を低下しろとの命令語を前記セル重畳地域内のセルに伝送する。前記上／下向電力制御命令語に対してＨＳＤＰＡを使用するセル及びＵＥは、セル重畳地域内の他のノードＢには伝送されないＨＳ−ＰＤＳＣＨ及びＳ＿ＵＬ＿ＤＰＣＣＨをＤＬ＿ＤＰＣＨ及びＵＬ＿ＤＰＣＨの送信電力の変化に対応して調整して伝送する。
【００１４】
前述したような従来セル重畳地域内における電力制御方法をＨＳＤＰＡを使用しているＵＥの逆方向送信電力制御に使用すると、下記のような問題点が発生する。
図１を参照すると、ＵＥ１１１から伝送されるＵＬ＿ＤＰＣＨは、セル＃１(１０１)及びセル＃２(１０３)によって受信され、ＲＮＣにおいて解析される。従って、前記ＵＬ＿ＤＰＣＨは、１つのセルによって伝送される時より、通常小さい送信電力を有して伝送される。しかしながら、Ｓ＿ＵＬ＿ＤＰＣＣＨは、ＨＳＤＰＡを送信するセル＃１(１０１)のみに必要な情報であり、セル＃２(１０３)は受信しないので、前記ＵＬ＿ＤＰＣＨに適用された送信電力を使用して伝送すると、前記セル＃１(１０１)が前記Ｓ＿ＵＬ＿ＤＰＣＣＨを正しく解析することのできない可能性がある。前記Ｓ＿ＵＬ＿ＤＰＣＣＨの情報が前記セル＃１(１０１)に正しく受信されない場合、ＨＡＲＱメカニズム及びＭＣＳレベル選定またはＦＣＳにおける最適セルの選定などが正しく動作することができないので、ＨＳＤＰＡ自体が正しく動作しない可能性がある。
【発明の開示】
【発明が解決しようとする課題】
【００１５】
従って、本発明においては、セル重畳地域内にＨＳＤＰＡを受信するＵＥが位置する場合、ＵＬ＿ＤＰＣＨ及びＳ＿ＵＰ＿ＤＰＣＣＨの送信電力を別途に制御することのできる方法を提示して前述した問題点を解決する。さらに、本発明においては、セル重畳地域内にＨＳＤＰＡを受信するＵＥが位置する場合、既存の電力制御方法を維持しながらノードＢが前記Ｓ＿ＵＬ＿ＤＰＣＣＨを正しくチャネル推定することのできる方法を提示して、前述した問題点を相当解決する。
【００１６】
従って、本発明の目的は、符号分割多重方式を使用する移動通信システムにおいて、少なくとも２つの逆方向チャネルが存在する場合、各チャネルに対する送信電力を別途に制御することのできる装置及び方法を提供することにある。
【００１７】
本発明の他の目的は、ノードＢが高速順方向パケット接続のための逆方向制御チャネルを信頼的に解析することを可能にするための装置及び方法を提供することにある。
【００１８】
本発明の他の目的は、ＨＳＤＰＡを支援する移動通信システムにおいて、逆方向制御チャネルを別途に電力制御することのできる装置及び方法を提供することにある。
【００１９】
本発明の他の目的は、ＨＳＤＰＡを支援する移動通信システムにおいて、前記順方向高速パケットを受信するＵＥがセル重畳地域内に位置する場合、逆方向チャネルを電力制御することのできる装置及び方法を提供することにある。
【００２０】
本発明の他の目的は、本発明において提示した電力制御方法のために、ＵＬ＿ＤＰＣＨのための送信電力制御命令語及びＳ＿ＵＬ＿ＤＰＣＣＨのための送信電力制御命令語を別途に生成する装置及び方法を提供することにある。
【００２１】
本発明の他の目的は、本発明において提示した電力制御方法のために、ＵＬ＿ＤＰＣＨのパイロットフィールド以外にＳ＿ＵＬ＿ＤＰＣＣＨにパイロットフィールドを提供することによってＵＬ＿ＤＰＣＨ及びＳ＿ＵＬ＿ＤＰＣＣＨのそれぞれの信号送信電力を測定することのできる装置及び方法を提供することにある。
【００２２】
本発明の他の目的は、本発明において提示した電力制御方法のために、ＵＬ＿ＤＰＣＨのための逆方向送信電力制御命令語及びＳ＿ＵＬ＿ＤＰＣＣＨのための逆方向送信電力制御命令語を別途に伝送する装置及び方法を提供することにある。
【００２３】
本発明の他の目的は、本発明において提示した電力制御方法を通じて決定されたＳ＿ＵＬ＿ＤＰＣＣＨの逆方向送信電力が過多に設定されて、セル重畳地域内で過多の信号干渉雑音を発生することを防止するための方法を提供することにある。
【００２４】
本発明の他の目的は、符号分割多重方式を使用する移動通信システムにおいて、逆方向に２つ以上のチャネルが存在する場合、各チャネルに対するパイロットを別途に備えてノードＢが前記チャネルに対して別途のチャネル補償を遂行することのできる装置及び方法を提供することにある。
【００２５】
本発明の他の目的は、ＨＳＤＰＡを支援する移動通信システムにおいて、逆方向チャネルに対して各チャネルに対するパイロットを別途に備えてノードＢが前記チャネルに対して別途のチャネル補償を遂行することのできる装置及び方法を提供することにある。
【００２６】
本発明の他の目的は、ＨＳＤＰＡを支援する移動通信システムにおいて、順方向パケットを受信するＵＥがセル重畳地域内に位置する場合、逆方向チャネルを個別的にチャネル補償することのできる装置及び方法を提供することにある。
【００２７】
本発明の他の目的は、本発明において提示した電力制御方法のために、ＵＬ＿ＤＰＣＨのパイロットフィールド以外にＳ＿ＵＬ＿ＤＰＣＣＨにパイロットフィールド提供することによってＵＬ＿ＤＰＣＨ及びＳ＿ＵＬ＿ＤＰＣＣＨを別途にチャネル推定及びチャネル補償することのできる装置及び方法を提供することにある。
【課題を解決するための手段】
【００２８】
このような目的を達成するための本発明は、順方向専用物理チャネルを通じて専用データ及び高速データ共有チャネルを通じた高速パケットデータを同時に提供する第１ノードＢと、前記第１ノードＢに隣接した少なくとも１つの第２ノードＢと、前記第１ノードＢ及び前記第２ノードＢに逆方向専用データチャネルを通じた専用データを伝送し、第１次逆方向専用制御チャネルを通じて前記専用データの受信に必要なパイロットビット情報及び伝送電力制御情報を含む制御情報を伝送し、３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が前記第２ノードＢが順方向専用物理チャネルを通じた専用データを提供ずるソフトハンドオーバー領域に位置する時、前記第１次逆方向専用制御チャネル及び前記第２次逆方向専用制御チャネルの電力を制御する移動端末と、を含む符号分割多重接続移動通信システムにおける逆方向送信電力制御方法において、３つのスロットのうち少なくとも１つのスロットにパイロットビット情報を割り当てた後、前記サブフレームを伝送する過程と、前記第１ノードＢから前記パイロットビット情報に対する伝送電力制御情報を前記順方向専用物理チャネルを通じて受信する過程と、前記伝送電力制御情報によって前記第２次逆方向専用制御チャネルに対する送信電力を制御する過程と、を含むことを特徴とする。
【００２９】
このような目的を達成するための本発明は、順方向専用物理チャネルを通じて専用データ及び高速データ共有チャネルを通じた高速パケットデータを同時に提供し、第１及び第２逆方向専用制御チャネルの電力を制御する第１ノードＢと、前記第１ノードＢに隣接した少なくとも１つの第２ノードＢと、３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が第２ノードＢが順方向専用物理チャネルを通じて専用データを提供するソフトハンドオーバー領域に位置する時、前記第１ノードＢ及び前記第２ノードＢに逆方向専用データチャネルを通じた専用データを伝送し、第１次逆方向専用制御チャネルを通じて前記専用データの受信に必要なパイロットビット情報及び伝送電力制御情報を含む制御情報を伝送する移動端末と、を含む符号分割多重接続移動通信システムにおける逆方向伝送電力制御方法において、前記３つのスロットのうち少なくとも１つのスロットによって伝送されるパイロットビット情報に対応して前記第２次逆方向専用制御チャネルの電力制御のための第２伝送電力制御情報を生成する過程と、前記第２伝送電力制御情報の伝送時点で前記第２伝送電力制御情報を前記順方向専用物理チャネルを通じて伝送する過程と、を含むことを特徴とする。
【００３０】
このような目的を達成するための本発明は、順方向専用物理チャネルを通じて専用データ及び高速データ共有チャネルを通じた高速パケットデータを同時に提供する第１ノードＢと、前記第１ノードＢと隣接した少なくとも１つの第２ノードＢと、前記第１ノードＢ及び前記第２ノードＢに逆方向専用データチャネルを通じた専用データを伝送し、第１次逆方向専用制御チャネルを通じて前記専用データの受信に必要なパイロットビット情報及び伝送電力制御情報を含む制御情報を伝送し、３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が前記第２ノードＢが順方向専用物理チャネルを通じた専用データを提供ずるソフトハンドオーバー領域に位置する時、前記第１次逆方向専用制御チャネル及び前記第２次逆方向専用制御チャネルの電力を制御する移動端末と、を含む符号分割多重接続移動通信システムにおける逆方向送信電力制御装置において、前記３つのスロットのうち少なくとも１つのスロットにパイロットビット情報を割り当てた後前記サブフレームを伝送する送信装置と、前記第１ノードＢから前記パイロットビット情報に対応する伝送電力制御情報を前記順方向専用物理チャネルを通じて受信し、前記伝送電力制御情報によって前記第２次逆方向専用制御チャネルに対する送信電力を制御する受信装置と、を含むことを特徴とする。
【００３１】
このような目的を達成するための本発明は、順方向専用物理チャネルを通じて専用データ及び高速データ共有チャネルを通じた高速パケットデータを同時に提供し、第１及び第２逆方向専用制御チャネルの電力を制御する第１ノードＢと、前記第１ノードＢと隣接した少なくとも１つの第２ノードＢと、３つのスロットから構成されたサブフレームを有する第２次逆方向専用制御チャネルを通じて前記高速パケットデータが受信されたか否かを示す確認情報及び前記第１ノードＢと前記移動端末との間の順方向チャネル状態情報を伝送する移動端末が第２ノードＢが順方向専用物理チャネルを通じて専用データを提供するソフトハンドオーバー領域に位置する時、前記第１ノードＢ及び前記第２ノードＢに逆方向専用データチャネルを通じた専用データ、及び第１次逆方向専用制御チャネルを通じて前記専用データの受信に必要なパイロットビット情報及び伝送電力制御情報を含む制御情報を伝送する移動端末と、を含む符号分割多重接続移動通信システムにおける逆方向伝送電力制御装置において、前記３つのスロットのうち少なくとも１つのスロットによって伝送されるパイロットビット情報に対応して第２チャネル推定結果を獲得する受信装置と、前記第２次逆方向専用制御チャネルの電力制御のための第２伝送電力制御情報を生成し、前記第２伝送電力制御情報の伝送時点で前記第２伝送電力制御情報を前記順方向専用物理チャネルを通じて伝送する送信装置と、を含むことを特徴とする。
【発明の効果】
【００３２】
本発明は、ＨＳＤＰＡを使用して通信するノードＢとＵＥとの間の逆方向電力制御方法において、従来の順方向専用チャネルのための逆方向専用物理チャネル及びＨＳＤＰＡの逆方向制御情報送信のための第２次逆方向専用物理制御チャネルに対する逆方向電力制御を区別して遂行することができる。従って、本発明は、ノードＢが前記第２次逆方向専用物理制御チャネルを正確に受信することを可能にする装置及び方法を提供する。さらに、本発明は、前記逆方向専用物理チャネル及び第２次逆方向専用物理制御チャネルを別途にチャネル補償または電力制御する方法において、第２次逆方向専用物理制御チャネルがパイロットフィールドを採用することによって、前記ノードＢが前記逆方向専用物理チャネル及び２次逆方向専用物理制御チャネルのためのチャネル補償値または電力制御命令語を別途に生成することを可能にする装置及び方法を提供する。
【発明を実施するための最良の形態】
【００３３】
以下、本発明の好適な一実施形態について添付図を参照しつつ詳細に説明する。下記の説明において、本発明の要旨のみを明確にする目的で、関連した公知機能又は構成に関する具体的な説明は省略する。
【００３４】
以下、本発明の説明の便宜のために、第３世代非同期方式の移動通信システムの標準である３ＧＰＰにおけるＨＳＤＰＡを例にして説明するが、２つまたはそれ以上の逆方向チャネルを同時に電力制御する他の通信システムにおいても、本発明は同一に適用されることができる。一方、後述する本発明において、ＨＳＤＰＡのための順方向及び逆方向専用物理制御チャネルの電力制御を遂行するのにおいて、ＨＳＤＰＡサービスを支援しない既存の非同期方式の移動通信端末及びノードＢとＨＳＤＰＡサービスを支援する移動通信端末及びノードＢとの間の互換性を維持するためのＵＬ−ＤＰＣＣＨの電力制御を別途に遂行する方法を提示する。
【００３５】
図８Ａないし図８Ｄは、本発明によるＵＬ＿ＤＰＣＨ及びＳ＿ＵＬ＿ＤＰＣＨの送信電力を別途に制御するために提案されるＳ＿ＵＬ＿ＤＰＣＣＨのスロット構造の例を示し、Ｓ＿ＵＬ＿ＤＰＣＣＨの長さを３つのスロットに仮定する。しかしながら、前記Ｓ＿ＵＬ＿ＤＰＣＣＨの長さが３つのスロットでない場合であっても、後述する本発明を使用することは可能である。図８Ａないし図８Ｄにおいて、ＡＣＫ／ＮＡＣＫ情報、測定報告情報、パイロット(Pilot)の位置及び長さは変更されることができる。さらに、必要によって、ＡＣＫ／ＮＡＣＫ情報及びパイロットのみが伝送されることもでき、ＡＣＫ／ＮＡＣＫ情報、測定報告情報、パイロットなどが全て伝送されることもできる。前記ＡＣＫ／ＮＡＣＫ情報及び測定報告情報は、情報自体で伝送されることもでき、繰り返して一定長さ以上になってから伝送されることもでき、別途の符号化過程によって符号化されてから伝送されることもできる。
【００３６】
図８Ａは、３つのスロット区間８０１でＡＣＫ／ＮＡＣＫフィールド８０３及びパイロットフィールド８０５が１回または反復的に３回伝送される構造を示す。前記ＡＣＫ／ＮＡＣＫフィールドは、ＵＥがＨＳ−ＰＤＳＣＨを通じて受信したｎ−チャネルＳＡＷパケット(n-channel SAW packet)に対して肯定応答または否定応答を送る領域である。前記肯定応答の場合、これを受信したセルは前記n チャネルに対応する次のパケットを伝送し、前記否定応答の場合、これを受信したセルは前記以前に伝送されたパケットを再伝送する。前記パイロットフィールド８０５は、前記Ｓ＿ＵＬ＿ＤＰＣＣＨの受信信号の強度及びチャネル環境を推定するためのフィールドである。前記ＵＬ＿ＤＰＣＣＨに使用されたパイロットパターンが再び使用されることもでき、全てのビットは１であるシーケンス(all 1 sequence)の最も簡単形態がノードＢと端末との間の事前約束によって伝送されることもできる。さらに、性能上の改善のためのＵＬ＿ＤＰＣＣＨのパイロットパターンとは異なるパターンが設定されて伝送されることもできる。さらに、スロット毎に同一のパイロットパターンが伝送されることもでき、スロット間の順序を区別するために異なるパイロットパターンが使用されることもできる。Ｓ＿ＵＬ＿ＤＰＣＣＨの逆方向伝送チャネル環境及び信号強度推定するために、前記パイロットパターンに関係なくノードＢとＵＥとの間に前もって定義されている値を使用することが望ましい。前もって定義されていない値が伝送されると、前記Ｓ＿ＵＬ＿ＤＰＣＣＨのパイロット信号の強度のみが測定できるので、多少の性能低下が発生する可能性がある。
【００３７】
図８Ｂは、図８ＡのＡＣＫ／ＮＡＣＫフィールド８１３及びパイロットフィールド８１５以外に測定報告情報８１７が時分割されて伝送されるＳ＿ＵＬ＿ＤＰＣＣＨの構造である。前記ＡＣＫ／ＮＡＣＫフィールド８１３及びパイロットフィールド８１５は、図８ＡのＡＣＫ／ＮＡＣＫフィールド８０３及びパイロットフィールド８０５の機能と同一である。図８Ｂの構造を有するＳ＿ＵＬ＿ＤＰＣＣＨは、３つのスロットのうち１つのスロットまたは３つのスロットの間に反復されて伝送されることもできる。
【００３８】
図８Ｃは、３つのスロット８２１全てを使用してＡＣＫ／ＮＡＣＫフィールド８２３及びパイロットフィールド８２５を伝送するＳ＿ＵＬ＿ＤＰＣＣＨの構造を示し、図８Ｄは、３つのスロット８３１全てを使用してＡＣＫ／ＮＡＣＫフィールド８３３、パイロットフィールド８３５、測定報告情報８３７を伝送するＳ＿ＵＬ＿ＤＰＣＣＨの構造を示す。図８Ｃ及び図８Ｄの各フィールドの機能及び構成方法は、図８Ａ及び図８Ｂの各フィールドの機能及び構成方法が同一に適用されることができる。
【００３９】
図４は、本発明の実施形態によるノードＢ送信器の例を示す。
図４を参照すると、制御器４０１は、ノードＢ受信器を通じて受信したＵＬ＿ＤＰＣＣＨのパイロットフィールドである第１パイロットチャネル推定結果４５１及びＳ＿ＵＬ＿ＤＰＣＣＨのパイロットフィールドである第２パイロットチャネル推定結果４５２を受信し、前記ＵＬ＿ＤＰＣＣＨに適用するＴＰＣ命令語及びＳ＿ＵＬ＿ＤＰＣＣＨに適用するＴＰＣ命令語を生成する。前記制御器４０１は、前記ＵＬ＿ＤＰＣＨに適用されるＴＰＣ命令語及びＳ＿ＵＬ＿ＤＰＣＣＨに適用するＴＰＣ命令語をそれぞれ適合の時点で多重化器４２０に入力する。
【００４０】
前記制御器４０１において、ＵＬ＿ＤＰＣＨのためのＴＰＣ命令語及びＳ＿ＵＬ＿ＤＰＣＣＨのためのＴＰＣ命令語の伝送時点を決定する方法は、以下のような多様な事項が考慮されることができる。（１）ＵＥから伝送されるＵＬ＿ＤＰＤＣＨのデータ伝送率、チャネル状況、信号強度及び重要度、（２）Ｓ＿ＵＬ＿ＤＰＣＣＨのチャネル状況及び信号強度、（３）ＵＬ＿ＤＰＣＨ及びＳ＿ＵＬ＿ＤＰＣＣＨの電力制御比率及びＳ＿ＵＬ＿ＤＰＣＣＨの伝送長さなどが考慮されることができる。本発明の説明の便宜のために、図４及び図７に示す構造において、ＵＬ＿ＤＰＣＨのためのＴＰＣ命令語が２回伝送された後、Ｓ＿ＵＬ＿ＤＰＣＣＨのためのＴＰＣ命令語が１回伝送されると仮定する。前述したように、前記ＵＬ＿ＤＰＣＨのためのＴＰＣ命令語の伝送比率及びＳ＿ＵＬ＿ＤＰＣＣＨのためのＴＰＣ命令語の伝送比率は、状況によって調節されることができる。前記調節比率は、上位レイヤーシグナリングメッセージまたは物理チャネル制御メッセージを通じてＵＥに伝送されることができ、ノードＢとＵＥとの間の事前定義によって変更されることもできる。
【００４１】
前記多重化器４２０は、ＴＰＣ４０２、パイロット４０３、ＴＦＣＩ４０４を受信してＤＬ＿ＤＰＣＣＨを構成する。使用者データ４１１または上位シグナリング制御情報が符号器４１２を通じて畳み込み符号化またはターボ符号化された後、レートマッチング部４１３によって物理チャネルを通じて伝送されるのに適した形態に加工された信号を入力としてＤＬ＿ＤＰＤＣＨを構成する。
【００４２】
前記多重化器４２０から出力されたＤＬ＿ＤＰＣＨは、拡散器４２１において前記ＤＬ＿ＤＰＣＨに使用されるチャネル符号でチャネル符号化された後、乗算器４２２において前記ＤＬ＿ＤＰＣＨの送信電力に適用されるチャネル利得値が掛けられる。前記チャネル補償されたＤＬ＿ＤＰＣＨは、合計器４６０に入力されて他の順方向伝送チャネルと合計される。前記ＤＬ＿ＤＰＣＨの送信電力に適用されるチャネル利得値は、ＤＬ＿ＤＰＣＨの伝送率及び逆方向チャネルによって受信されたＴＰＣ命令語などを考慮して設定されることができる。
【００４３】
ＨＳ−ＰＤＳＣＨを通じて伝送されるｉ番目の使用者データ４３１は、符号器４３２において適したチャネル符号化方法を利用して符号化された後、レートマッチング部４３３によって物理チャネルを通じて伝送されるに適した形態に加工される。前記加工された使用者データは、拡散器４３４においてチャネル符号化され、乗算器４３５において適したチャネル利得と掛けられた後、合計器４６０に入力されて他の順方向チャネルと合計される。前記拡散器４３４は、前述したように複数のチャネル符号を有することができ、それによって順方向データ伝送の速度を増加させることができる。
【００４４】
ＴＦＲＩ情報４４１は、前記ＨＳ−ＰＤＳＣＨに使用されたチャネル符号、ＭＣＳ レベル、前記レートマッチング部４３３においてＨＳ−ＤＳＣＨに適用された値を示し、前記ＴＦＲＩ情報を受信することによって、ＵＥはＨＳ−ＤＳＣＨを正しく解析することができる。ＨＡＲＱ情報４４２は、ＵＥにＨＳ−ＰＤＳＣＨを通じて伝送されたパケットが何番目のチャネルの初期伝送パケットであるか、再伝送パケットであるかを知らせる情報であり、前記情報によってＵＥは現在受信するＨＳ−ＰＤＳＣＨによって伝送されるパケットの性質を把握して適切な目的に使用することができる。つまり、再伝送されたパケットである場合、予め受信された誤謬が発生したパケットと合計することで、適した信号に再生することができる。
【００４５】
前記ＴＦＲＩ情報４４１及びＨＡＲＱ情報４４２は、それぞれ符号器４４３及び符号器４４４を通じて符号化されて多重化器４４５に入力される。前記ＴＦＲＩ情報４４１及びＨＡＲＱ情報４４２は、単純な情報の形態で伝送されることもでき、信頼度を高めるために別途の符号化方法によって伝送されるか、単純反復されて伝送されることもできる。多重化器４４５は、前記符号化器４４３及び前記符号化器４４４の出力を受信してＳＨＣＣＨを構成した後、出力する。前記多重化器４４５から出力された信号は、拡散器４４６に入力されて前記ＳＨＣＣＨのためのチャネル符号に拡散された後、乗算器４４７においてＨＳ−ＳＣＣＨのためのチャネル利得と掛けられた後、合計器４６０に入力される。
【００４６】
前記合計器４６０は、前記ＤＬ＿ＤＰＣＨ、ＨＳ−ＰＤＳＣＨ、ＨＳ−ＳＣＣＨ及び図４に記述されていない他の使用者のチャネルとノードＢの制御信号を伝送する順方向共通チャネルを合計する。前記順方向チャネルは、互いに区別できるようにチャネル符号が掛けられているので、ＵＥは、自分の所望する順方向チャネルを通じて受信される信号のみを適切に解析することができる。前記合計器４６０から出力された信号は、乗算器４６１においてノードＢによって使用されるスクランブリング符号でスクランブル(scramble)された後、変調器４６２に入力されて変調される。前記変調された信号は、ＲＦ部４６３において搬送波帯域に上昇された後、アンテナ４６４を通じてＵＥに伝送される。前記乗算器４６１において使用されるスクランブリング符号は、各ノードＢまたはセル間の順方向信号を区別するために使用される。
【００４７】
図５は、本発明の実施形態によるノードＢ受信器の例を示す。
アンテナ５０１を通じて受信されたＵＥの信号は、ＲＦ部５０２において基底帯域に変換された後、復調器５０３において復調される。前記復調された信号は、乗算器５０４においてＵＥによって使用されたスクランブリング符号と同一のスクランブリング符号を使用してディスクランブル(descramble)される。前記ＵＥによって使用されたスクランブリング符号は、ノードＢに伝送される複数のＵＥ間の信号を区別する。前記乗算器５０４から出力されたＵＥの信号は、逆拡散器５１０、逆拡散器５２０、逆拡散器５３０にそれぞれ入力されてＵＬ＿ＤＰＣＣＨ、ＵＬ＿ＤＰＤＣＨ及びＳ＿ＵＬ＿ＤＰＣＣＨに区別される。ＵＬ＿ＤＰＣＣＨ、ＵＬ＿ＤＰＤＣＨ及びＳ＿ＵＬ＿ＤＰＣＣＨに使用されたチャネル符号と同一のチャネル符号がそれぞれ前記逆拡散器５１０、逆拡散器５２０、逆拡散器５３０に適用される。前記逆拡散器５１０から出力されたＵＬ＿ＤＰＣＣＨは、逆多重化器５１１においてパイロットフィールド５１２のみが分離され、チャネル推定器５１３に入力される。前記パイロットフィールド５１２は、逆方向チャネル環境を推定するために使用される。前記パイロット信号の強度が推定された後、ノードＢは、前記パイロット信号の強度を使用してＵＬ＿ＤＰＣＨの電力制御のためのＴＰＣ命令語を生成する。前記乗算器５１４に入力されたＵＬ＿ＤＰＣＣＨは、前記チャネル推定器５１３において推定されたチャネル推定値が補正されて逆多重化器５１５に入力された後、ＴＰＣ５１６、ＴＦＣＩ５１７、ＦＢＩ５１８に逆多重化される。
【００４８】
前記逆拡散器５２０から出力されたＵＬ＿ＤＰＤＣＨは、乗算器５２１においてチャネル推定器５１３のチャネル推定値を使用して補正された後、復号器５２２に入力されてｉ番目の使用者データまたは上位レイヤーシグナリングメッセージに復旧される。前記復号器５２２は、逆レートマッチング機能もともに遂行すると定義する。
【００４９】
前記逆拡散器５３０から出力されたＳ−ＵＬ＿ＤＰＣＣＨは、逆多重化器５３２においてパイロットフィールド５４０が分離される。前記Ｓ＿ＵＬ＿ＤＰＣＣＨから分離されたパイロット５４０は、 チャネル推定器５２２においてチャネル推定された後、その推定された値を制御器５５０に伝送する。
【００５０】
前記乗算器５３３においてチャネル補償されたＳ−ＵＬ＿ＤＰＣＣＨは、逆多重化器５３５においてＡＣＫ／ＮＡＣＫとチャネル報告情報に分離された後、それぞれ復号器５３６及び復号器５３８においてチャネル測定情報５３７及びＡＣＫ／ＮＡＣＫに復旧される。前記復号器５３６及び復号器５３８は、ＵＥによって使用された方式と同一の方式の符号及び反復伝送に対する復号機能を有する復号器として定義される。
【００５１】
前記制御器５５０は、チャネル推定器５１３において推定されたＵＬ−ＤＰＣＣＨのパイロットフィールドの信号推定結果及びチャネル推定器５３４において推定されたＳ−ＵＬ＿ＤＰＣＣＨのパイロットフィールドのチャネル推定結果を受信し、それぞれのチャネルに適したＴＰＣ命令語を生成する。前記ＴＰＣが適用されたチャネルに対して別途のチャネル推定が可能になるように、前記チャネル推定器５１３と連結されたスイッチ５５１及び前記チャネル推定器５３４と連結されたスイッチ５５２を制御して乗算器５３３に入力されるチャネル推定値を調整する。つまり、前記ＵＬ＿ＤＰＣＣＨのためのＴＰＣが適用されて伝送された信号を受信する場合、ＵＬ＿ＤＰＣＣＨのパイロットフィールドを利用したチャネル推定値を使用してＳ−ＵＬ＿ＤＰＣＣＨのチャネル推定値を補正することを可能にする。前記Ｓ−ＵＬ＿ＤＰＣＣＨが適用されたＳ−ＵＬ＿ＤＰＣＣＨが受信される場合、前記Ｓ−ＵＬ＿ＤＰＣＣＨのパイロットフィールドを利用したチャネル推定値を使用してＳ−ＵＬ＿ＤＰＣＣＨをチャネル補償することを可能にする。このような制御器５５０において、１つのＵＥのみに伝送されるが、相違なるチャネル測定データを有しているチャネルに対してそれぞれのチャネルを推定し、その推定値によってチャネル補償をすると、チャネル補償利得がもっとよくなるという効果を得ることができる。さらに、前記Ｓ−ＵＬ＿ＤＰＣＣＨが伝送される間に、ノードＢで伝送されるＴＰＣの種類に関係なくＳ−ＵＬ＿ＤＰＣＣＨを別途に測定してチャネル補償をすると、Ｓ−ＵＬ＿ＤＰＣＣＨの性能がより向上することができる。
【００５２】
図６は、図４のノードＢ受信器に対応する端末送信器の例を示す。
制御器６０１は、ＵＬ＿ＤＰＣＨに適用されるチャネル利得６５１、ＵＬ−ＤＰＣＣＨに適用される第１パイロット６１１、Ｓ−ＵＬ＿ＤＰＣＣＨに適用されるチャネル利得６５２、Ｓ−ＵＬ＿ＤＰＣＣＨに適用される第２パイロット６２１などを生成し制御する。前記制御器６０１は、ノードＢから伝送された複数のＴＰＣを受信し、Ｓ−ＵＬ＿ＤＰＣＣＨのためのＴＰＣ及びＵＬ＿ＤＰＣＨのためのＴＰＣをそれぞれ利用してチャネル利得６５２及びチャネル利得６５１を生成する。前記チャネル利得６５２は、ＨＳＤＰＡを伝送するノードＢによって受信されたＴＰＣを使用して直ちに決定されることができ、前記受信されたＴＰＣが適用されたチャネル利得が高すぎてセル重畳地域においてＳ−ＵＬ＿ＤＰＣＣＨによって発生される他の信号に対する干渉信号の量があまり大きい場合は、特定臨界値として決定されることもできる。前記特定臨界値は、ＵＬ＿ＤＰＣＨに対する相対的な送信電力の比によって決定されるか、絶対的な送信電力のサイズによって決定されることができる。前記ＵＬ＿ＤＰＣＨに対する相対的な送信電力の比または絶対的な送信電力のサイズは、ノードＢから前記ＵＥに上位レイヤーシグナリングまたは物理階層信号を使用して伝送されるか、ノードＢとＵＥとの間に予め定義されることができる。
【００５３】
多重化器６１５は、順方向送信電力の制御のためのＴＰＣ６１２、制御器６０１から出力された第１パイロット６１１、ＴＦＣＩ６１３、ＦＢＩ６１４を受信してＵＬ−ＤＰＣＣＨを構成する。前記多重化器６１５から出力されたＵＬ−ＤＰＣＣＨは、拡散器６１６においてＵＬ−ＤＰＣＣＨに適用されるチャネル符号で拡散された後、乗算器６１７においてチャネル利得６１５と掛けられて合計器６４０に入力される。
【００５４】
使用者データ６３１または上位レイヤーシグナリング情報は、符号化器６３２において符号化された後、レートマッチング部６３３において物理チャネルの伝送形態に適合するように加工される。前記レートマッチング部６３３から出力された信号は、拡散器６３４においてＵＬ＿ＤＰＤＣＨに変換された後、乗算器６３５においてＵＬ＿ＤＰＤＣＨのためのチャネル利得と掛けられて合計器６４０に入力される。前記乗算器６３５において適用されるチャネル利得は、乗算器６１７において適用されるチャネル利得に対してＵＬ＿ＤＰＣＣＨとＵＬ＿ＤＰＤＣＨとの間の伝送率の差によって決定されることができる。
【００５５】
多重化器６２７は、ｎ−チャネルＨＡＲＱに対する制御情報であるＡＣＫ／ＮＡＣＫ６２５が符号器６２６において符号化された値と、チャネル測定情報６２３が符号器６２４において符号化された値を受信する。さらに、制御器６０１において決定された第２パイロット６２１を受信してＳ−ＵＬ＿ＤＰＣＣＨを構成する。前記第２パイロット６２１は、前述したように第１パイロットと同一のパターンが使用されることもでき、第１パイロットと異なるパターンが使用されることもできる。
【００５６】
前記合計器６４０は、入力された逆方向信号を合計して乗算器６４１に出力する。前記合計器６４０において合計された逆方向信号は、異なるチャネル符号が掛けられることによって区別されることができるので、前記信号を受信するノードＢは適した信号を再生することができる。前記乗算器６４１は、ＵＥによって使用される逆方向スクランブリング符号を使用して、前記ＵＥからの逆方向信号が他のＵＥの逆方向信号と区別できるようにスクランブルする。前記乗算器６４１から出力された信号は、変調器６４２に入力されて変調された後、ＲＦ部６４３において搬送波帯域の信号に変換されてアンテナ６４４を通じてノードＢに伝送される。
【００５７】
図７は、図５のノードＢ送信器に対応するＵＥ受信器の例を示し、ＵＥが位置したセル重畳地域内のセルの数は２つである。
アンテナ７０１を通じて受信された順方向信号は、ＲＦ部７０２において基底帯域の信号に変更される。前記基底帯域の信号は、復調器７０３において復調された後、前記乗算器７０４においてノードＢによって使用されたスクランブリング符号と同一のスクランブリング符号を使用してディスクランブルされる。前記ディスクランブルされた順方向信号は、逆拡散器７１０、逆拡散器７３０、逆拡散器７４０、逆拡散器７５０にそれぞれ入力され、ＤＬ＿ＤＰＣＨ、ＨＳ−ＤＳＣＨを伝送しない他のノードＢからＤＬ＿ＤＰＣＨ、ＨＳ−ＰＤＳＣＨ及びＳＨＣＣＨに区分される。
【００５８】
前記逆拡散器７１０から出力されたＨＳ−ＤＳＣＨを伝送するノードＢのＤＬ＿ＤＰＣＣＨが、逆多重化器７１１に入力された後、ＴＰＣ７２１がＤＬ＿ＤＰＣＣＨから分離される。前記逆拡散器７３０から出力されたＨＳ−ＤＳＣＨを伝送しないノードＢのＤＬ＿ＤＰＣＣＨは、逆多重化器７３１に入力されてＴＰＣ７２３と分離される。前記ＴＰＣ７２１及びＴＰＣ７２３は、前記制御器７６０に入力されて前記ＵＥのＵＬ＿ＤＰＣＨ及びＳ−ＵＬ＿ＤＰＣＣＨの逆方向送信電力の決定に使用される。
【００５９】
前記逆多重化器７１１及び逆多重化器７３１の出力は、合計器７１２に入力されて合計される。前記合計された信号は逆多重化器７７０に入力され、パイロット７７１のみが前記合計された信号から区別されてチャネル推定器７２０に入力される。前記チャネル推定器７２０に入力されたパイロット信号７７１のチャネル推定結果は、制御器７６０に入力され、前記ＵＥと通信するノードＢの順方向伝送電力制御のためのＴＰＣ命令語の生成に利用される。前記チャネル推定器７２０のチャネル推定結果は、乗算器７１３に入力され、合計器７１２から出力されたＤＬ＿ＤＰＣＨのチャネル補償に利用される。前記チャネル補償されたＤＬ＿ＤＰＣＨは、逆多重化器７１７に入力され、ＴＦＣＩ７１７とＤＬ＿ＤＰＤＣＨとに区別される。前記逆多重化器７１５から出力されたＤＬ＿ＤＰＤＣＨは、復号器７１８において復号された後、使用者データ７１９または上位レイヤーシグナリング情報に復旧される。前記復号器７１８は、逆レートマッチング機能も遂行することができると仮定する。
【００６０】
前記逆拡散器７４０から出力されたＨＳ−ＰＤＳＣＨは、乗算器７４１に入力され、チャネル推定器７２０のチャネル推定結果に対してチャネル補償された後、復号器７４２に出力される。図７において、前記チャネル推定器７２０によるチャネル推定がＵＥへのＤＬ＿ＤＰＣＨを合計した後で遂行されると仮定した。しかしながら、前記ＤＬ＿ＤＰＣＨのパイロット信号を一々区別してチャネル推定を遂行すると、前記乗算器７４１に適用されるチャネル推定値を、前記ＨＳ−ＰＤＳＣＨを伝送したノードＢからのＤＬ＿ＤＰＣＣＨのパイロットフィールドのチャネル信号を推定した値に置き換えることができる。前記乗算器７４１から出力されたＨＳ−ＤＳＣＨは、復号器７４２において復号及びディインターリーブ(deinterleave)されて使用者データに復旧される。復号器７４２において復号されたＨＳ−ＤＳＣＨは、前記ｎ−ｃｈａｎｎｅｌ ＳＡＷ ＨＡＲＱの動作に使用されることができる。
【００６１】
逆拡散器７５０から出力されたＳＨＣＣＨは、乗算器７５１においてチャネル推定器７２０から出力されたチャネル推定結果によってチャネル補償される。前記乗算器７５１において使用されるチャネル推定値も、前記乗算器７４１において使用されるチャネル推定値と同様に、ＤＬ＿ＤＰＣＨのパイロット信号をそれぞれ区別すると、前記ＳＨＣＣＨを伝送するノードＢのＤＬ＿ＤＰＣＨのパイロットフィールドを解析した値をチャネル推定した結果に置き換えることができる。
【００６２】
前記乗算器７５１においてチャネル補償されたＳＨＣＣＨは、逆多重化器７５２において２つの信号に分離され、前記２つの信号は、それぞれ復号器７５３及び復号器７５４においてＴＦＲＩ情報７５５及びＨＡＲＱ情報７５６に復旧された後、それぞれの目的に対応するように使用される。
【００６３】
前記制御器７６０は、ＵＥによって受信された全てのＴＰＣ及びＤＬ＿ＤＰＣＣＨのパイロットフィールドの推定結果を受信してＵＥのＵＬ＿ＤＰＣＨの逆方向送信電力及びＳ−ＤＬ＿ＤＰＣＣＨの逆方向送信電力を決定する。前記ＨＳＤＰＡを伝送するノードＢが図７の受信器を使用するＵＥにＵＬ−ＤＰＣＣＨのためのＴＰＣ命令語を伝送した場合、前記ＴＰＣ命令語を含んでＵＬ＿ＤＰＣＨの送信電力を決定することができる。前記ＵＬ−ＤＰＣＣＨのためのＴＰＣ命令語を受信した後、Ｓ−ＵＬ＿ＤＰＣＣＨのためのＴＰＣ命令語を受信しなかった状態でＳ−ＵＬ＿ＤＰＣＣＨが伝送されるべきである場合は、前記ＵＬ＿ＤＰＣＨの送信電力に一定電力オフセットを適用してＳ−ＵＬ＿ＤＰＣＣＨの伝送電力を決定することができる。さらに、前記ＨＳＤＰＡを伝送するノードＢがＳ−ＵＬ＿ＤＰＣＣＨのためのＴＰＣを伝送した場合、前記 Ｓ−ＵＬ＿ＤＰＣＣＨのためのＴＰＣを除いた他のＴＰＣ命令語を使用してＵＬ＿ＤＰＣＨの送信電力を決定し、前記Ｓ−ＵＬ＿ＤＰＣＣＨの送信電力は、前記Ｓ−ＵＬ＿ＤＰＣＣＨのためのＴＰＣを使用して決定されることができる。
【００６４】
図９及び図１０は、本発明による逆方向電力制御方法におけるノードＢ制御器の動作及びＵＥ制御器の動作を示すフローチャートを示す。本発明の説明の便宜のために、図１に示す状況に基づいて説明する。
図９は、本発明によるノードＢ制御器のアルゴリズムを示す。
図９を参照すると、段階９００で、ノードＢは、前記ノードＢからＨＳ−ＤＳＣＨを受信するＵＥがセル重畳地域に位置するか否かを判断する。ノードＢは、ＵＥによって測定された他のノードＢからの信号の強度に関する情報を受信した後、ＵＥにセル重畳地域内の他のノードＢとの通信を許可するか否かを決定するので、前記ノードＢが前記のような判断をすることに無理はない。段階９０１で、ノードＢは、ＵＥからＰ＿ＵＬ＿ＤＰＣＣＨのパイロットフィールド及びＴＰＣ命令語、Ｓ−ＵＬ＿ＤＰＣＣＨのパイロットフィールドを受信する。段階９０１で、Ｐ＿ＵＬ＿ＤＰＣＣＨは、順方向専用チャネルの制御情報を伝送し、Ｓ−ＵＬ＿ＤＰＣＣＨは、ＨＳＤＰＡのための逆方向制御情報を伝送する。段階９０１で、ノードＢがＳ−ＵＬ＿ＤＰＣＣＨを受信すると、ＵＥがセル重畳地域に位置しているか否かによって、Ｓ−ＵＬ＿ＤＰＣＣＨは異なる構造を有することができる。つまり、前記ＵＥがセル重畳地域に位置しない場合は、前記ＵＥはＨＳ−ＤＳＣＨを伝送する１つのみのノードＢと通信するので、ＵＥがＳ−ＵＬ＿ＤＰＣＣＨの送信電力の制御のためにＳ−ＵＬ＿ＤＰＣＣＨにパイロット情報を送る必要はない。従って、前記ＵＥがセル重畳地域に位置していない場合、Ｓ−ＵＬ＿ＤＰＣＣＨは、図８Ａ及び図８Ｄに示す多様な形態のうちからパイロットフィールドのない形態を有することもできる。しかしながら 図９の説明において、ＵＥが常に同一の形態のＳ−ＵＬ＿ＤＰＣＣＨのスロットを使用すると仮定する。前記ＵＥが常に同一の形態のＳ−ＵＬ＿ＤＰＣＣＨのスロットを使用することによって、前記ＨＳＤＳＣＨを伝送するノードＢとＵＥとの間にＳ−ＵＬ＿ＤＰＣＣＨのスロット形態を変更するための不要のシグナリングを低減することができる。しかしながら、前記ＵＥがセル重畳地域に位置していない場合、ＵＥが不要の信号を伝送することによって、前記ＵＥのバッテリの消耗量が増加する。前記ＵＥのバッテリの消耗量の増加を防止するために、前記ＵＥがセル重畳地域に位置していない場合、前記ＵＥのＳ−ＵＬ＿ＤＰＣＣＨのパイロットフィールド部分を伝送せずに、ＤＴＸ(Discrete Transmission Off)処理することができる。
【００６５】
段階９０２で、ノードＢは、Ｓ＿ＵＬ＿ＤＰＣＣＨのパイロットフィールドを正確に受信したか否かを検査する。段階９０２で、ノードＢがＳ−ＵＬ＿ＤＰＣＣＨのパイロットフィールドを受信しなかったという結論が出ると、段階９１１で、前記ノードＢは、Ｐ＿ＵＬ＿ＤＰＣＣＨのパイロットフィールドを解析してＰ＿ＵＬ＿ＤＰＣＣＨに適用するＴＰＣ命令語を生成する。段階９０２で、ノードＢがＳ＿ＵＬ＿ＤＰＣＣＨのパイロットフィールドの受信を確認すると、段階９０３で、前記ノードＢは、Ｐ＿ＵＬ＿ＤＰＣＣＨのパイロットフィールド及びＳ＿ＵＬ＿ＤＰＣＣＨのパイロットフィールドを解析する。段階９０４で、段階９０３で解析されたＰ＿ＵＬ＿ＤＰＣＣＨのパイロットフィールド及びＳ＿ＵＬ＿ＤＰＣＣＨのパイロットフィールドは、Ｐ＿ＵＬ＿ＤＰＣＣＨに適用するＴＰＣ命令語の生成及びＳ＿ＵＬ＿ＤＰＣＣＨに適用するＴＰＣ命令語の生成に使用される。
【００６６】
段階９０５で、ノードＢは、Ｓ＿ＵＬ＿ＤＰＣＣＨのためのＴＰＣの伝送時点であるか否かを判断する。前記Ｓ＿ＵＬ＿ＤＰＣＣＨのためのＴＰＣの伝送時点は、ＵＬ＿ＤＰＤＣＨを通じて伝送されるデータの重要度、ＵＥの移動速度によるＵＬ＿ＤＰＣＨの電力制御周期、Ｐ＿ＵＬ＿ＤＰＣＨの受信信号品質、Ｓ−ＵＬ＿ＤＰＣＣＨの受信信号品質などを考慮して決定されることができる。ＵＬ＿ＤＰＤＣＨを通じて伝送されるデータの重要度が高くない場合、ＨＳＤＳＣＨのための逆方向制御情報をより正しく受信するために、Ｓ＿ＵＬ＿ＤＰＣＣＨのためのＴＰＣをより頻繁に伝送することができる。一方、ＵＥの移動速度によってＵＬ＿ＤＰＣＨの電力制御周期を長くすることができる場合、Ｓ−ＵＬ＿ＤＰＣＣＨのためのＴＰＣをより頻繁に伝送することができる。Ｐ−ＵＬ＿ＤＰＣＨの受信信号品質が良好であり、前記ＵＥからノードＢへの連続的なチャネル環境の変化が無い場合は、Ｓ−ＵＬ＿ＤＰＣＣＨのためのＴＰＣをより頻繁に伝送することができる。最後に、Ｓ−ＵＬ＿ＤＰＣＣＨの信号品質及びチャネル環境の連続的な変化が無い場合は、Ｓ−ＵＬ＿ＤＰＣＣＨのためのＴＰＣをより頻繁に伝送することができる。
【００６７】
ＵＥがセル重畳地域に位置している場合、ＵＬ＿ＤＰＣＨ及びＳ＿ＵＬ＿ＤＰＣＨは、異なる伝送電力を有する。さらに、ＵＬ＿ＤＰＣＨがセル重畳地域に位置することによって、セル重畳地域内の全てのノードＢが前記ＵＥのＵＬ＿ＤＰＣＨを受信することができるので、同一のＵＥから伝送されるＵＬ＿ＤＰＣＨ及びＳ−ＵＬ＿ＤＰＣＨであっても異なる信号品質及びチャネル環境を有することができる。
【００６８】
段階９０５で、Ｓ＿ＵＬ−ＤＰＣＣＨのためのＴＰＣの伝送時点でないと判断されると、段階９０６で、Ｐ＿ＵＬ＿ＤＰＣＣＨのためのＴＰＣ命令語の伝送を決定し、段階９０５でＳ＿ＵＬ−ＤＰＣＣＨのためのＴＰＣの伝送時点であると判断されると、段階９０７で、Ｓ＿ＵＬ＿ＤＰＣＣＨのためのＴＰＣ命令語の伝送を決定する。段階９０６及び９０７で決定されたＴＰＣはＵＬ＿ＤＰＣＣＨ用であると説明されているが、ＵＬ＿ＤＰＣＣＨ及びＵＬ＿ＤＰＤＣＨは、異なる伝送速度を有すること以外には全ての環境が同一であるので、ＵＬ＿ＤＰＤＣＨにも適用されることができる。
【００６９】
段階９０８で、前記ノードＢは、段階９０１で受信された順方向電力制御命令語によって順方向伝送電力を決定した後、他の順方向信号とともに対応するＴＰＣ命令語を前記ＵＥに伝送する。
【００７０】
段階９０９で、前記ノードＢは、前記ノードＢと通信している前記ＵＥがセル重畳地域を逃れているかどうかまたは前記ＵＥへのＨＳ−ＤＳＣＨの伝送が完了されているかどうかを判断する。前記ＵＥがセル重畳地域を逃れているか、または、前記ＵＥへのＨＳ−ＤＳＣＨ伝送が完了されている場合、段階９１０で、ＵＬ＿ＤＰＣＨの逆方向送信電力のみを制御する正常電力制御アルゴリズムを通じてＵＥの逆方向送信電力を制御し、そうでない場合は、段階９０１から繰り返す。
【００７１】
図９に示すノードＢの制御器動作アルゴリズムに対する説明は、ＵＥがセル重畳地域に位置するか否かによって、段階９０１ないし段階９０８の動作を遂行するか否かを決定することを仮定している。つまり、ＵＥがセル重畳地域に位置する場合、ノードＢが常に段階９０１ないし段階９０８の動作を遂行するためには、ＵＥは、２ms単位のＳ＿ＵＬ＿ＤＰＣＣＨサブフレーム毎にＳ＿ＵＬ＿ＤＰＣＣＨにパイロットフィールドを伝送すべきである。これは、ＨＳ−ＤＳＣＨを伝送しないノードＢに対する前記ＵＥの干渉を増加させることができる。
【００７２】
従って、前記干渉量を低減させるための他の例として、本発明は、ＨＳ−ＤＳＣＨデータを受信するようにスケジューリングされている時のみにＡＣＫ／ＮＡＣＫ情報及びチャネル報告メッセージがＨＳＤＰＡノードＢによって正確に受信されることを可能にする。従って、前記ノードＢは、Ｓ＿ＵＬ＿ＤＰＣＣＨを通じてパイロットフィールドを伝送し、それに応じて、前記ＨＳＤＰＡノードＢは、図９の動作を遂行することで、Ｓ＿ＵＬ＿ＤＰＣＣＨの伝送電力及びＰ＿ＵＬ＿ＤＰＣＣＨの伝送電力を別途に制御することができる。
【００７３】
より具体的に、前記ＵＥがセル重畳地域に位置する場合、ＨＳＤＰＡノードＢは、前記ＵＥにＨＳ−ＤＳＣＨデータが送信されるようにスケジューリングを遂行し、ＨＳ−ＤＳＣＨデータを受信するために必要な制御情報をＳＨＣＣＨを通じて伝送する。前記ＵＥは、前記ＳＨＣＣＨを受信してから前記ＨＳ−ＤＳＣＨデータに対するＡＣＫ／ＮＡＣＫ情報を送信するまで、図１０の動作によってＳ＿ＵＬ＿ＤＰＣＣＨを通じてパイロットフィールドを伝送する。一方、前記ＨＳＤＰＡノードＢは、前記ＵＥが前記Ｓ＿ＵＬ＿ＤＰＣＣＨパイロットフィールドを送信する間に、図９の動作によってＳ＿ＵＬ＿ＤＰＣＣＨの伝送電力及びＰ＿ＵＬ＿ＤＰＣＣＨの伝送電力を別途に制御する。
【００７４】
前記ＵＥがセル重畳地域に位置する場合、ＳＨＣＣＨ制御情報(つまり、ＨＳ−ＤＳＣＨデータ)が受信されたか否かによってＳ＿ＵＬ＿ＤＰＣＣＨパイロットフィールドを伝送するか否かが決定される。前記Ｓ＿ＵＬ＿ＤＰＣＣＨパイロットフィールドを伝送しない場合は、前述と同様に図８Ａないし図８Ｄに提示されたＳ＿ＵＬ＿ＤＰＣＣＨの多様な構造のうちパイロットフィールドのないＳ＿ＵＬ＿ＤＰＣＣＨを使用することもできる。あるいは、前記ＵＥがセル重畳地域に位置すると、常にパイロットフィールドを有した形態でＳ＿ＵＬ＿ＤＰＣＣＨを伝送し、実際にＳ＿ＵＬ＿ＤＰＣＣＨパイロットを伝送しない場合は、前述したようにＤＴＸ送信によって処理することができる。
【００７５】
図１０は、図９に示すノードＢ制御器に対応するＵＥ制御器のアルゴリズムを示す。
図１０を参照すると、段階１００１で、ＵＥは、ノードＢからＴＰＣ命令語を受信する。段階１００２で、前記ＵＥは、段階１００１で受信されたＴＰＣ命令語がＳ＿ＵＬ＿ＤＰＣＣＨのためのＴＰＣであるか否かを判断する。段階１００２で前記受信されたＴＰＣ命令語がＳ＿ＵＬ＿ＤＰＣＣＨのためのＴＰＣであると判断されると、段階１００３で、前記Ｓ＿ＵＬ＿ＤＰＣＣＨのためのＴＰＣと他のノードＢから受信されたＰ＿ＵＬ＿ＤＰＣＣＨのためのＴＰＣとを分離して解析する。段階１００４で、段階１００３で分離し解析されたＴＰＣを利用して、Ｓ＿ＵＬ＿ＤＰＣＣＨのための伝送電力及びＰ＿ＵＬ＿ＤＰＣＣＨのための伝送電力を決定する。前記Ｓ＿ＵＬ＿ＤＰＣＣＨのための伝送電力の決定において、Ｓ＿ＵＬ＿ＤＰＣＣＨのためのＴＰＣが頻繁に伝送されると、相対的に小さい値を有するように前記Ｓ−ＵＬ＿ＤＰＣＣＨの送信電力を決定することができ、前記Ｓ＿ＵＬ＿ＤＰＣＣＨのためのＴＰＣの伝送周期が長い場合は、相対的に大きい値を有するように前記Ｓ−ＵＬ＿ＤＰＣＣＨの送信電力を決定することができる。簡単な例として、Ｓ−ＵＬ＿ＤＰＣＣＨのためのＴＰＣが１秒に１０００回伝送されると、前記ＴＰＣを受信したＵＥは、約１dBの電力設定周期でＳ−ＵＬ＿ＤＰＣＣＨの送信電力を調整することができ、前記ＴＰＣが１秒に５００回伝送されると、前記ＴＰＣを受信するＵＥは、約２ｄBの電力設定周期でＳ−ＵＬ＿ＤＰＣＣＨの送信電力を調整することができる。
【００７６】
段階１００５で、前記ＵＥは、Ｓ−ＵＬ＿ＤＰＣＣＨを伝送する時点であるか否かを判断する。段階１００５が必要である理由は、図８Ａ及び図８Ｂに示すスロット構造を有するＳ−ＵＬ＿ＤＰＣＣＨの１つのスロットを利用してＨＳＤＰＡのための逆方向制御情報を伝送することもできるからである。しかしながら、前記Ｓ−ＵＬ＿ＤＰＣＣＨがスロット毎に同一の形態で伝送されるか、または、Ｓ−ＵＬ＿ＤＰＣＣＨの総区間の間に伝送される場合、段階１００５は必要ない。
【００７７】
段階１００５で、Ｓ＿ＵＬ＿ＤＰＣＣＨの伝送時点であると判断されると、段階１００６で、前記ＵＥ制御器は、段階１００４で決定されたＳ＿ＵＬ＿ＤＰＣＣＨのための伝送電力が臨界値を超過しているか否かを判断する。段階１００６で使用される臨界値は、前記ノードＢから伝送されたＳ−ＵＬ＿ＤＰＣＣＨのためのＴＰＣを適用したＳ−ＵＬ＿ＤＰＣＣＨの送信電力が過多に決定されることを防止することで、セル重畳地域内に位置している他のＵＥに過多の干渉信号になることを防止するために使用される。
【００７８】
段階１００６で、Ｓ＿ＵＬ＿ＤＰＣＣＨの送信電力が臨界値を超過していると判断される場合、段階１０２１で、前記臨界値を利用してＳ＿ＵＬ＿ＤＰＣＣＨの伝送電力を決定する。本発明においは、説明の便宜のために前記Ｓ＿ＵＬ＿ＤＰＣＣＨに対する臨界値を適用しているが、通常は、Ｓ＿ＵＬ＿ＤＰＣＣＨ、ＵＬ＿ＤＰＣＣＨ、ＵＬ＿ＤＰＤＣＨの全ての逆方向チャネルの伝送電力の和に対する臨界値を適用する。つまり、全ての逆方向チャネルの送信電力の和が臨界値以上になると、前記チャネルの送信電力が臨界値以上にならないように各チャネルに対して同一の比率で伝送電力を低減させる。普通、ＨＳＤＰＡサービスのためのＳ＿ＵＬ＿ＤＰＣＣＨを通じて伝送される情報は、ＨＳＤＰＡサービスのために非常に重要な情報であるので、逆方向チャネルの伝送電力の和が臨界値以上である時、ＵＬ＿ＤＰＣＣＨ、ＵＬ＿ＤＰＤＣＨ及びＳ＿ＵＬ＿ＤＰＣＣＨの送信電力は異なる比率によって低減される。つまり、前記ＵＬ＿ＤＰＣＣＨ、ＵＬ＿ＤＰＤＣＨの送信電力の低減させる比率をＳ＿ＵＬ＿ＤＰＣＣＨより大きくしてノードＢがＳ＿ＵＬ＿ＤＰＣＣＨチャネルを信頼性できるように受信されるように保障することができる。段階１００７で、Ｓ＿ＵＬ＿ＤＰＣＣＨのためのパイロット信号を生成し、Ｐ＿ＵＬ＿ＤＰＣＣＨのためのパイロット信号を生成し、段階１００８で、段階１００４で決定された伝送電力でＰ＿ＵＬ＿ＤＰＣＣＨ及びそれに対応するＵＬ＿ＤＰＤＣＨを伝送し、段階１００４で決定された送信電力でＳ−ＵＬ＿ＤＰＣＣＨを伝送する。
【００７９】
段階１００２で、Ｓ＿ＵＬ＿ＤＰＣＣＨのためのＴＰＣが受信されなかったと決定されると、段階１０１１でＰ＿ＵＬ＿ＤＰＣＣＨのためのＴＰＣを解析した後、段階１０１２で、Ｐ＿ＵＬ＿ＤＰＣＣＨに適用する伝送電力を決定する。段階１０１３は、段階１０１２の次の過程であり、段階１００５でＳ＿ＵＬ＿ＤＰＣＣＨの伝送時点でないと判断された場合の次の過程になることができる。段階１０１３で、Ｐ＿ＵＬ＿ＤＰＣＣＨのためのパイロット信号を生成し、段階１０１４で、段階１０１２または段階１００４で決定された伝送電力でＰ＿ＵＬ＿ＤＰＣＣＨ及びそれに対応するＵＬ＿ＤＰＤＣＨを伝送する。
【００８０】
段階１００９で、ＵＥがセル重畳地域を逃れているかどうか、または、前記ＵＥがセル重畳地域には位置しているが、それ以上受信するＨＳ−ＤＳＣＨがないかどうかを判断する。セル重畳地域を逃れているか、または、それ以上受信するＨＳ−ＤＳＣＨがないと判断される場合、段階１０１０で、順方向専用チャネル及び逆方向専用チャネルに対する正常的な電力制御アルゴリズムを遂行する。段階１００９でソフトハンドオーバーが終了されないか、または、セル重畳地域において受信する他のＨＳ−ＤＳＣＨがある場合、この過程を段階１００１から繰り返す。
【００８１】
本発明の第２実施形態においては、ＵＥがセル重畳地域に位置する場合、ＨＳＤＰＡのための逆方向専用制御チャネルをノードＢが正しく受信することができるように前記逆方向専用制御チャネルを通じて別途のパイロットを伝送することによって前記逆方向専用制御チャネルに対するチャネル推定を遂行する方法を提示する。この時、前記ＵＬ＿ＤＰＣＣＨに対する電力制御方法は、通常の制御方法が使用され、Ｓ＿ＵＬ＿ＤＰＣＣＨに対する別途の電力制御は遂行されないと仮定する。前記ＵＥがセル重畳地域に位置しない場合も前記Ｓ＿ＵＬ＿ＤＰＣＣＨに別途のパイロットを伝送することができるが、本発明の説明の便宜のために、セル重畳地域のみで前記Ｓ＿ＵＬ＿ＤＰＣＣＨを対する別途のパイロットを伝送すると仮定する。
【００８２】
前記ＵＥがセル重畳地域に位置する場合、前記Ｓ＿ＵＬ＿ＤＰＣＣＨのチャネル推定のための別途のパイロットは、図８Ａないし図８Ｄと同一の形態を有することができる。前記ＵＥがセル重畳地域に位置しない場合、図３Ｂに示すＳ＿ＵＬ＿ＤＰＣＣＨチャネル構造を有する。通常、ノードＢは、前記Ｓ＿ＵＬ＿ＤＰＣＣＨを通じて伝送される別途のパイロットを利用してチャネル推定し、前記Ｓ＿ＵＬ＿ＤＰＣＣＨのサブフレーム(subframe)である３つのスロット内の情報、ＡＣＫまたはＮＡＣＫ、ＣＱＩ(Channel Quality Indicator)情報に対してチャネル補償を遂行する。本発明において、ノードＢがＳ＿ＵＬ＿ＤＰＣＣＨの別途のパイロットを利用した通常のチャネル補償の方法を遂行することもでき、後述する変更されたチャネル補償の方法を遂行することもできる。さらに、前記別途のパイロットは、前記ＡＣＫ／ＮＡＣＫ情報またはＣＱＩ情報に対するチャネル補償のためのものであるので、前記情報のうち１つが伝送される場合のみに前記パイロットが伝送されるべきである。
【００８３】
図１１Ａないし図１１Ｃは、前記パイロットの位置によるＳ＿ＵＬ＿ＤＰＣＣＨのチャネル推定方法を詳細に説明する図である。図１１Ａは、前記別途のパイロットがＳ＿ＵＬ＿ＤＰＣＣＨサブフレーム内でＡＣＫ／ＮＡＣＫとＣＱＩ情報との間に位置する場合、Ｓ＿ＵＬ＿ＤＰＣＣＨ構造を示す図である。前記別途のパイロット、ＡＣＫ／ＮＡＣＫ、ＣＱＩ情報の伝送電力は、異なる値に設定されることができる。前記情報の伝送電力は、一般的にＵＬ＿ＤＰＣＣＨの伝送電力に対する比によって決定される。ノードＢが図１１Ａと同一の構造のＳ＿ＵＬ＿ＤＰＣＣＨを受信すると、まず、別途のパイロットであるＨＳ−Ｐｉｌｏｔ１１０１を受信してチャネル推定を遂行し、ＨＳ−Ｐｉｌｏｔ１１０１を利用して前記ＡＣＫ／ＮＡＣＫまたはＣＱＩに対するチャネル補償を遂行する。図１１Ａの場合は、１つのサブフレーム内でチャネル補償が遂行される通常の方法に該当する。しかしながら、前記ＡＣＫ／ＮＡＣＫの場合、ノードＢが前記ＨＳ−Ｐｉｌｏｔ１１０１を受信してからＡＣＫ／ＮＡＣＫに対するチャネル補償を遂行することができるので、前記ＡＣＫ／ＮＡＣＫ情報を抽出するまでの時間遅延が発生することができる。このようなＡＣＫ／ＮＡＣＫ情報抽出時間遅延は、ノードＢが端末に伝送する次のＨＳＤＰＡパケットのスケジューリング時間を減少させる大きい原因になる。
【００８４】
図１１Ｂ及び図１１Ｃは、前記ＡＣＫ／ＮＡＣＫに対するチャネル補償遅延を最小化するための他のＳ＿ＵＬ＿ＤＰＣＣＨ構造を示す。図１１Ｂの１番目のＳ＿ＵＬ＿ＤＰＣＣＨサブフレームにおいて、ＨＳ−Ｐｉｌｏｔは、前記１番目のサブフレームの情報のうち最後に伝送される。図１１Ｂの２番目のサブフレームにおいて、前記ＵＥがＳ＿ＵＬ＿ＤＰＣＣＨのサブフレームＮにおいてＡＣＫ／ＮＡＣＫ情報のみを伝送する場合と、ＡＣＫ／ＮＡＣＫとＣＱＩとを共に伝送する場合を示す。前記２番目のフレームにおいて、前記ＵＥは、前記ＡＣＫ／ＮＡＣＫに対するチャネル補償のために、サブフレームＮのパイロットの代わりにサブフレームＮ−１のＨＳ−Ｐｉｌｏｔ１１０２を伝送する。このような方法を利用する場合、ノードＢがＨＳ−Ｐｉｌｏｔ１１０２を受信してチャネル推定した後、ＡＣＫ／ＮＡＣＫに対するチャネル補償を直ちに遂行することができるので、前記１番目のフレームのような時間遅延問題が発生しない。前記ＵＥがＳ＿ＵＬ＿ＤＰＣＣＨサブフレームＮからセル重畳地域に位置する場合、サブフレームＮ−１がＨＳ−Ｐｉｌｏｔ１１０２を伝送する構造でないので、サブフレームＮ−１においてＨＳ−Ｐｉｌｏｔ１１０２を伝送することができない場合が発生する。この時は、ノードＢは、前記サブフレームＮのＡＣＫ／ＮＡＣＫを受信した後、ＨＳ−Ｐｉｌｏｔ１１０３を利用してチャネル補償を遂行する。最後に、３番目のサブフレームは、前記ＵＥがＳ＿ＵＬ＿ＤＰＣＣＨのサブフレームＮにおいてＣＱＩ情報のみを伝送する場合のＳ＿ＵＬ＿ＤＰＣＣＨ構造を示す。ノードＢが前記ＣＱＩ情報を抽出する時に前記ＡＣＫ／ＮＡＣＫのような時間遅延が発生しても、ＨＳＤＰＡパケットスケジューリングに対する影響はない。従って、前記ＵＥは、サブフレームＮのＣＱＩ及びＨＳ−Ｐｉｌｏｔ１１０４を伝送し、ノードＢは、前記ＣＱＩ情報を受信した後、ＨＳ−Ｐｉｌｏｔ１１０４を利用してチャネル推定及び補償を遂行する。
【００８５】
図１１Ｃの１番目のサブフレームは、ＨＳ−Ｐｉｌｏｔが前記Ｓ＿ＵＬ＿ＤＰＣＣＨのサブフレームの最初の部分に伝送される場合の構造を示す。図１１Ｃの２番目のＳ＿ＵＬ＿ＤＰＣＣＨサブフレームは、前記端末がＳ＿ＵＬ＿ＤＰＣＣＨチャネルのサブフレームＮにおいてＡＣＫ／ＮＡＣＫ情報のみを伝送する場合と、ＡＣＫ／ＮＡＣＫ及びＣＱＩを共に伝送する場合のＳ＿ＵＬ＿ＤＰＣＣＨ構造を示す。この構造は、図１１Ｃの１番目の構造と同一である。この場合、ノードＢは、前記ＨＳ−Ｐｉｌｏｔ１１０５を受信することによってチャネル推定を遂行した後、ＡＣＫ／ＮＡＣＫまたはＡＣＫ／ＮＡＣＫ及びＣＱＩを受信することによってチャネル補償を遂行する。図１１Ｃの３番目のＳ＿ＵＬ＿ＤＰＣＣＨサブフレームは、ＵＥがＳ＿ＵＬ＿ＤＰＣＣＨチャネルのサブフレームＮにおいてＣＱＩ情報のみを伝送する場合のＳ＿ＵＬ＿ＤＰＣＣＨ構造の例を示す。一般的な方法としては、Ｓ＿ＵＬ＿ＤＰＣＣＨサブフレームＮのＨＳ−Ｐｉｌｏｔ１１０６及びＣＱＩ情報を伝送する方法がある。ＵＥによる非連続的な伝送を避けるためには、前記ＣＱＩ情報及びサブフレームＮ＋１のＨＳ−Ｐｉｌｏｔ１１０７を伝送する方案もある。
【００８６】
勿論、図１１Ｂ及び図１１Ｃの場合も、ＵＥが前記ＡＣＫ／ＮＡＣＫまたはＣＱＩを伝送する時、サブフレームＮのＨＳ−Ｐｉｌｏｔと共に伝送することもできる。この場合、ノードＢは、図１１Ａのように通常のチャネル推定及び補償を遂行する。
【００８７】
図１２は、本発明の第２実施形態によるＵＥ送信器の例である。
図１２を参照すると、制御器１２０１は、ＵＬ＿ＤＰＣＨに適用されるチャネル利得、ＵＬ−ＤＰＣＣＨに適用される第１パイロット１２１１、Ｓ−ＵＬ＿ＤＰＣＣＨに適用されるチャネル利得１２５２、Ｓ−ＵＬ＿ＤＰＣＣＨに適用される第２パイロット１２２１などを生成して制御する。前記制御器１２０１は、ノードＢから伝送された複数のＴＰＣを受信し、ＴＰＣを利用してチャネル利得１２５２及びチャネル利得１２５１を生成する。
【００８８】
多重化器１２１５は、逆方向送信電力の制御のためのＴＰＣ１２１２、前記制御器１２０１から出力された第１パイロット１２１１、ＴＦＣＩ１２１３、ＦＢＩ１２１４を受信してＵＬ−ＤＰＣＣＨを構成する。前記多重化器１２１５から出力されたＵＬ−ＤＰＣＣＨは、拡散器１２１６においてＵＬ−ＤＰＣＣＨに適用されるチャネル符号で拡散された後、乗算器１２１７においてチャネル利得１２５１と乗算して合計器１２４０に入力される。
【００８９】
使用者データ１２３１または上位レイヤーシグナリング情報は、符号化器１２３２において適した符号に符号化された後、レートマッチング部１２３３において物理チャネルの伝送形態に適合に加工される。前記レートマッチング部１２３３から出力された信号は、拡散器１２３４に入力されてＵＬ＿ＤＰＤＣＨになった後、乗算器１２３５においてＵＬ＿ＤＰＤＣＨのためのチャネル利得と掛けられた後、合計器１２４０に入力される。前記乗算器１２３５において適用されるチャネル利得は、乗算器１２１７において適用されるチャネル利得に対してＵＬ＿ＤＰＣＣＨとＵＬ＿ＤＰＤＣＨの伝送率の差によって決定されることができる。
【００９０】
多重化器１２２７は、ｎ−チャネルＨＡＲＱに対する制御情報であるＡＣＫ／ＮＡＣＫ１２２５が符号器１２２６において符号化された値及びチャネル測定情報ＣＱＩ１２２３が符号器１２２４において符号化された値と共に制御器１２０１において決定された第２パイロット１２２１を多重化してＳ−ＵＬ＿ＤＰＣＣＨを構成する。前記第２パイロット１２２１は、第１パイロットと同一のパターンが使用されるか、第１パイロットと異なるパターンが使用されることができる。ＵＥがセル重畳地域に位置する場合、前記制御器１２０１が前記ＨＳ−Ｐｉｌｏｔ１２２１を多重化器１２２７に入力し、ＵＥがセル重畳地域に位置しない場合は、ＨＳ−Ｐｉｌｏｔ１２２１を多重化器１２２７に入力しない。
【００９１】
多重化制御器１２０２は、前記ＡＣＫ／ＮＡＣＫ１２２５、ＣＱＩ１２２３、ＨＳ−Ｐｉｌｏｔ１２２１に対する伝送電力を異にして設定する場合、多重化器１２２７を制御して電力利得を調整する。さらに、前記多重化制御器１２０２は、図１１Ａないし図１１ＣのようなＳ＿ＵＬ＿ＤＰＣＣＨ構造を構成するための多重化器を制御する。前記多重化器１２２７は、通常、サブフレーム単位で前記Ｓ＿ＵＬ＿ＤＰＣＣＨを多重化することができる。ＵＥが図１１Ａないし図１１Ｃのように変更されたチャネル補償のための方案を利用する時、前記多重化制御器１２０２は、ＵＥがＣＱＩのみを伝送する場合、ＨＳ−Ｐｉｌｏｔと多重化する方法、ＡＣＫ／ＮＡＣＫまたはＡＣＫ／ＮＡＣＫ及びＣＱＩを共に伝送する場合、ＨＳ−Ｐｉｌｏｔと多重化する方法を調整する。例えば、ＵＥがＡＣＫ／ＮＡＣＫまたはＡＣＫ／ＮＡＣＫ、ＣＱＩを伝送する場合、多重化制御器１２０２は、多重化器１２２７が図１１の２番目のフレームのようにＳ＿ＵＬ＿ＤＰＣＣＨを構成するように制御し、ＣＱＩ情報のみを伝送する場合、図１１の３番目のフレームのようにチャネルを構成するように制御することができる。
【００９２】
前記合計器１２４０は、入力された逆方向信号を合計して乗算器１２４１に出力する。前記合計器１２４０において合計された逆方向信号は、異なるチャネル符号と掛けられて区別されることができるので、前記信号を受信するノードＢは、適した信号を再生することができる。前記乗算器１２４１は、ＵＥによって使用される逆方向スクランブリング符号を使用して、前記ＵＥからの逆方向信号が他のＵＥからの逆方向信号と区別されることができるようにスクランブル過程を遂行する。前記乗算器１２４１から出力された信号は、変調器１２４２に入力されて変調された後、ＲＦ部１２４３に入力されて搬送波帯域の信号に変換された後、アンテナ１２４４を通じてノードＢに伝送される。
【００９３】
図１３は、本発明の第２実施形態によるノードＢ受信器のブロック図である。
図１３を参照すると、アンテナ１３０１を通じて受信されたＵＥの信号は、ＲＦ部１３０２において基底帯域に変換された後、復調器１３０３において復調され、乗算器１３０４においてＵＥによって使用されたスクランブリング符号と同一のスクランブリング符号を使用してディスクランブルされる。前記ＵＥによって使用されたスクランブリング符号は、ノードＢから多数のＵＥに伝送される信号を区別する役割をする。前記乗算器１３０４から出力された信号は、逆拡散器１３１０、逆拡散器１３２０、逆拡散器１３３０にそれぞれ入力されてＵＬ＿ＤＰＣＣＨ、ＵＬ＿ＤＰＤＣＨ及びＳ＿ＵＬ＿ＤＰＣＣＨに区別される。前記逆拡散器１３１０、逆拡散器１３２０、逆拡散器１３３０には、それぞれＵＬ＿ＤＰＣＣＨ、ＵＬ＿ＤＰＤＣＨ及びＳ＿ＵＬ＿ＤＰＣＣＨにおいて使用されたチャネル符号と同一のチャネル符号が適用される。前記逆拡散器１３１０から出力されたＵＬ＿ＤＰＣＣＨは、逆多重化器１３１１においてパイロットフィールド１３１２のみが分離され、チャネル推定器１３１３に入力され、前記ＵＥからノードＢへの逆方向チャネル環境の推定に使用される。前記パイロット信号の強度が推定された後、ノードＢは、前記パイロット信号の強度を使用してＵＬ＿ＤＰＣＨの電力制御のためのＴＰＣ命令語を生成する。前記制御器１３５０は、チャネル推定器１３１３において推定されたＵＬ−ＤＰＣＣＨのパイロットフィールドの信号推定結果によってＵＬ＿ＤＰＣＨに対するＴＰＣ命令語を生成する。前記乗算器１３１４に入力されたＵＬ＿ＤＰＣＣＨは、前記チャネル推定器１３１３において推定されたチャネル推定値によって補正されて逆多重化器に入力され、ＴＰＣ１３１６、ＴＦＣＩ１３１７、ＦＢＩ１３１８に逆多重化される。
【００９４】
逆拡散器１３２０から出力されたＵＬ＿ＤＰＤＣＨは、乗算器１３２１においてチャネル推定器１３１３のチャネル推定値を使用して補正された後、復号器１３２２に入力されてｉ番目の使用者データまたは上位レイヤーシグナリングメッセージに復旧される。前記復号器１３２２は、逆レートマッチング機能も共に遂行すると仮定する。
【００９５】
逆拡散器１３３０から出力されたＳ−ＵＬ＿ＤＰＣＣＨは、逆多重化器１３３２においてイロットフィールドが分離される。この時、前記逆多重化器１３３２は、ＨＳ−Ｐｉｌｏｔが伝送されたか否か感知する役割も共に遂行すると仮定する。本発明によるＨＳ−Ｐｉｌｏｔは、Ｓ＿ＵＬ＿ＤＰＣＣＨに情報が伝送される時のみにＳ＿ＵＬ＿ＤＰＣＣＨの別途チャネル推定のために伝送される。従って、ノードＢは前記ＨＳ−Ｐｉｌｏｔが伝送されるか否かを感知する必要がある。一方、図１１Ａのように、ノードＢが通常のチャネル推定及び補償を遂行する場合、前記多重化器１３３２は、ＨＳ−Ｐｉｌｏｔをサブフレーム単位で検出する必要がある。しかしながら、ノードＢが図１１Ｂ及び図１１Ｃのように変更されたチャネル推定及び補償を遂行する場合、前記多重化器１３３２は、隣接サブフレームからＨＳ−Ｐｉｌｏｔを検出することが可能であるべきである。例えば、図１１Ｂの２番目のサブフレームのように端末がＡＣＫ／ＮＡＣＫまたはＡＣＫ／ＮＡＣＫ及びＣＱＩを伝送する時、多重化器１３３２は、サブフレームＮ−１のＨＳ−Ｐｉｌｏｔを検出し、前記ＨＳ−Ｐｉｌｏｔからチャネル推定を遂行すべきである。さらに、図１１Ｂの３番目のサブフレームのように端末がＣＱＩ情報のみを伝送する場合、多重化器１３３２は、サブフレームＮのＨＳ−Ｐｉｌｏｔを検出して、前記ＨＳ−Ｐｉｌｏｔからチャネル推定を遂行することが可能であるべきである。
【００９６】
前記Ｓ＿ＵＬ＿ＤＰＣＣＨ１３４０のＨＳ−Ｐｉｌｏｔは、チャネル推定器１３３４に入力されてチャネル推定される。乗算器１３３３においてチャネル補償されたＳ−ＵＬ＿ＤＰＣＣＨは、逆多重化器１３３５に入力され、ＡＣＫ／ＮＡＣＫとチャネル報告メッセージに分離された後、それぞれ復号器１３３６及び復号器１３３８に入力され、チャネル測定情報１３３７及びＡＣＫ／ＮＡＣＫ１３３９に復旧される。前記復号器１３３６及び復号器１３３８は、ＵＥによって使用された方式と同一の方式の符号及び反復伝送に対する復号機能を有する復号器として定義される。
【００９７】
前記ＵＥがセル重畳地域に位置するか否かによって前記Ｓ＿ＵＬ＿ＤＰＣＣＨに対する別途のチャネル推定が可能になるように、前記チャネル推定器１３１３と連結されたスイッチ１３５１及び前記チャネル推定器１３３４と連結されたスイッチ１３５２を制御して、乗算器１３３３に入力されるチャネル推定値を調整することができる。つまり、前記ＵＥがセル重畳地域に位置しない場合、ＵＬ＿ＤＰＣＣＨのパイロットフィールドを利用したチャネル推定値を使用してＳ−ＵＬ＿ＤＰＣＣＨをチャネル補償することができる。前記ＵＥがセル重畳地域に位置する場合、前記Ｓ−ＵＬ＿ＤＰＣＣＨのパイロットフィールドを利用したチャネル推定値を使用してＳ−ＵＬ＿ＤＰＣＣＨをチャネル補償することができる。前記Ｓ−ＵＬ＿ＤＰＣＣＨが伝送される間、前記チャネルに対する別途の電力制御をしなくても、Ｓ−ＵＬ＿ＤＰＣＣＨのＨＳ−Ｐｉｌｏｔフィールドを別途に測定してチャネル補償することによって、Ｓ−ＵＬ＿ＤＰＣＣＨの性能が向上することができる。
【００９８】
図１４は、本発明の第２実施形態によるＵＥ制御器のアルゴリズムを示す図である。
図１４を参照すると、段階１４０１で、前記ＵＥは、ノードＢからＴＰＣ命令語を受信する。前記ＵＥは、段階１４０２で、前記ＴＰＣを解析し、段階１４０３で、逆方向チャネルであるＵＬ＿ＤＰＣＣＨ、Ｓ＿ＵＬ＿ＤＰＣＣＨに対する伝送電力を決定する。一般的に、前記Ｓ＿ＵＬ＿ＤＰＣＣＨの伝送電力の値は、Ｓ＿ＵＬ＿ＤＰＣＣＨの伝送電力とＵＬ＿ＤＰＣＣＨの伝送電力との間に比率として決定される。段階１４０４で、Ｓ＿ＵＬ＿ＤＰＣＣＨの伝送時点であると判断されると、段階１４０７で、Ｓ＿ＵＬ＿ＤＰＣＣＨのためのパイロット信号及びＰ＿ＵＬ＿ＤＰＣＣＨのためのパイロット信号を生成する。段階１４０８では、段階１４０３で決定された伝送電力でＰ＿ＵＬ＿ＤＰＣＣＨ及びそれに対応するＵＬ＿ＤＰＤＣＨを伝送し、段階１４０３で決定された伝送電力でＳ＿ＵＬ＿ＤＰＣＣＨを伝送する。段階１４０５は、段階１４０４でＳ＿ＵＬ＿ＤＰＣＣＨの伝送時点でないと判断された場合、段階１４０４の次の過程になる。段階１４０５では、ＵＬ＿ＤＰＣＣＨのためのパイロット信号が生成され、段階１４０６では、段階１４０３で決定された伝送電力でＰ＿ＵＬ＿ＤＰＣＣＨ及びそれに対応するＵＬ＿ＤＰＤＣＨを伝送する。
【００９９】
段階１４０９で、ＵＥがセル重畳地域を逃れているか否か、または、前記ＵＥがセル重畳地域には位置しているが、それ以上受信するＨＳ−ＤＳＣＨがあるか否かを判断する。セル重畳地域を逃れているか、または、それ以上受信するＨＳ−ＤＳＣＨがないと判断される場合、段階１４１０で、逆方向専用チャネルに対する正常的なチャネル補償を遂行するように、ＨＳ−Ｐｉｌｏｔを含まないＳ＿ＵＬ＿ＤＰＣＣＨ及びＵＬ＿ＤＰＣＣＨを伝送する。段階１４０９で、ソフトハンドオーバーが終了されていないか、または、セル重畳地域において受信するＨＳ−ＤＳＣＨがある場合は、前記過程を段階１４０４から反復する。
【０１００】
図１５は、本発明の第２実施形態によるノードＢ制御器のアルゴリズムを示す。
図１５を参照すると、段階１５００で、ノードＢは、前記ノードＢからＨＳ−ＤＳＣＨを受信するＵＥがセル重畳地域に位置するか否かを判断する。前記ＵＥがセル重畳地域に位置するか否かを判断することは、前記ノードＢが、前記ＵＥによって測定された他のノードＢの信号の強度に関する情報を受信した後、前記ＵＥにセル重畳地域に位置する他のノードＢとの通信を許諾するか否かを判断するので、前記ノードＢは、十分前記判断を遂行することができる。段階１５０１で、ノードＢは、ＵＥからＵＬ＿ＤＰＣＣＨのパイロットフィールド及びＴＰＣ命令語、Ｓ−ＵＬ＿ＤＰＣＣＨのパイロットフィールドを受信する。段階１５０１でノードＢがＳ−ＵＬ＿ＤＰＣＣＨを受信すると、ＵＥがセル重畳地域に位置するか否かによってＳ−ＵＬ＿ＤＰＣＣＨの構造が異になる。つまり、前記ＵＥがセル重畳地域に位置しない場合、前記ＵＥはＨＳ−ＤＳＣＨを伝送する１つのノードＢのみと通信するので、ＵＥがＳ−ＵＬ＿ＤＰＣＣＨの送信電力の制御のためにＳ−ＵＬ＿ＤＰＣＣＨにパイロット情報を伝送する必要がない。従って、セル重畳地域にＵＥが位置していない場合、Ｓ−ＵＬ＿ＤＰＣＣＨは、図８Ａないし図８Ｄに提示された多様な形態のうちパイロットフィールドの無い形態を有することができる。また、前記Ｓ＿ＵＬ＿ＤＰＣＣＨは、ＵＥがセル重畳地域に位置するか否かに関係なく、同一の構造を有することもできる。
【０１０１】
段階１５０２で、前記ノードＢは、Ｓ＿ＵＬ＿ＤＰＣＣＨのパイロットフィールドが正確に受信されたか否かを検査する。段階１５０２でＳ−ＵＬ＿ＤＰＣＣＨのパイロットフィールドが正確に受信されなかったと判断されると、前記ノードＢは、段階１５０９で、ＵＬ＿ＤＰＣＣＨのパイロットフィールドを解析し、段階１５１０で、ＵＬ＿ＤＰＣＣＨに適用するＴＰＣ命令語を生成する。前記ノードＢは、段階１５０２で正確なＳ＿ＵＬ＿ＤＰＣＣＨのパイロットフィールドの受信を確認すると、段階１５０３で、Ｐ＿ＵＬ＿ＤＰＣＣＨのパイロットフィールド及びＳ＿ＵＬ＿ＤＰＣＣＨのパイロットフィールドを解析する。段階１５０３で、ＵＬ＿ＤＰＣＣＨのパイロットフィールドを解析してＵＬ＿ＤＰＣＣＨに適用するＴＰＣ命令語を生成に使用し、前記ＵＬ＿ＤＰＣＣＨ及びＵＬ＿ＤＰＤＣＨに対するチャネル推定に使用する。さらに、Ｓ＿ＵＬ＿ＤＰＣＣＨのパイロットは、Ｓ＿ＵＬ＿ＤＰＣＣＨをチャネル補償するためのチャネル推定に使用される。前記ＵＬ＿ＤＰＣＣＨ、Ｓ＿ＵＬ＿ＤＰＣＣＨから受信されたそれぞれのパイロットでチャネルを推定した後、段階１５０３で、各チャネルに対するチャネル補償を遂行する。
【０１０２】
段階１５０４で、段階１５０３で得られたＵＬ＿ＤＰＣＣＨパイロットからＴＰＣ命令語が生成される。段階１５０６で、段階１５０１で受信した順方向電力制御命令語によって順方向伝送電力が決定される。次に、前記ノードＢから前記ＵＥに伝送される他の順方向信号と共に対応するＴＰＣ命令語が伝送される。
【０１０３】
段階１５０７で、前記ノードＢは、ノードＢと通信している前記ＵＥがセル重畳地域を逃れているか否か、または、前記ＵＥへのＨＳ−ＤＳＣＨの伝送が完了しているか否かを判断する。前記ＵＥがセル重畳地域を逃れているか、または、前記ＵＥへのＨＳ−ＤＳＣＨの伝送が完了した場合、段階１５０８で、ＵＬ＿ＤＰＣＣＨのパイロットフィールドのみを利用した逆方向専用チャネルに対する正常的なチャネル補償アルゴリズムが遂行され、そうでない場合は、段階１５０１から反復する。
【０１０４】
以上、本発明を具体的な一実施形態を参照して詳細に説明してきたが、本発明の範囲は前述の一実施形態によって限られるべきではなく、本発明の範囲内で様々な変形が可能であるということは、当該技術分野における通常の知識を持つ者には明らかである
【図面の簡単な説明】
【０１０５】
【図１】ＵＥがソフトハンドオーバー領域に位置する時、複数のセルとＵＥとの間の順方向及び逆方向チャネル関係を示す図である。
【図２Ａ】従来の高速順方向パケット接続方式を支援する符号分割多重接続移動通信システムにおいて順方向チャネルの構造を示す図である。
【図２Ｂ】従来の高速順方向パケット接続方式を支援する符号分割多重接続移動通信システムにおいて順方向チャネルの構造を示す図である。
【図２Ｃ】従来の高速順方向パケット接続方式を支援する符号分割多重接続移動通信システムにおいて順方向チャネルの構造を示す図である。
【図３Ａ】従来の高速順方向パケット接続方式を支援する符号分割多重接続移動通信システムにおいて逆方向チャネルの構造を示す図である
【図３Ｂ】従来の高速順方向パケット接続方式を支援する符号分割多重接続移動通信システムにおいて逆方向チャネルの構造を示す図である。
【図４】本発明の実施形態によるノードＢの送信装置のブロック図である。
【図５】本発明の実施形態によるノードＢの受信装置のブロック図である。
【図６】図４に示すノードＢ受信装置に対応するＵＥ送信装置のブロック図である。
【図７】２つのセルをカーバするソフトハンドオーバー領域に位置する図５に示すノードＢ送信装置に対応するＵＥ受信装置のブロック図である。
【図８Ａ】本発明の実施形態による逆方向チャネルの構造を示す図である。
【図８Ｂ】本発明の実施形態による逆方向チャネルの構造を示す図である。
【図８Ｃ】本発明の実施形態による逆方向チャネルの構造を示す図である。
【図８Ｄ】本発明の実施形態による逆方向チャネルの構造を示す図である。
【図９】本発明によるノードＢ制御器のアルゴリズムを示す図である。
【図１０】図９に示すノードＢ制御器に対応するＵＥ制御器のアルゴリズムを示す図である。
【図１１Ａ】本発明の他の実施形態による逆方向チャネルの構造を示す図である。
【図１１Ｂ】本発明の他の実施形態による逆方向チャネルの構造を示す図である。
【図１１Ｃ】本発明の他の実施形態による逆方向チャネルの構造を示す図である。
【図１２】本発明のまた他の実施形態によるＵＥ送信装置のブロック図である。
【図１３】本発明のまた他の実施形態によるノードＢの受信装置のブロック図である。
【図１４】本発明のまた他の実施形態によるＵＥ制御器のアルゴリズムを示す図である。
【図１５】本発明のまた他の実施形態によるノードＢ制御器のアルゴリズムを示す図である。
【符号の説明】
【０１０６】
４０１    制御器
４０２    ＴＰＣ
４０３    パイロット
４０４    ＴＦＣＩ
４１１    使用者データ
４１２、４３２    符号器
４１３、４３３    レートマッチング部
４２０、４４５    多重化器
４２１、４３４、４４６    拡散器
４２２、４６１    乗算器
４６０    合計器
４６２    変調器
４６３    ＲＦ部
【図１】
2005510173.tif 000003
【図２Ａ】
2005510173.tif 000004
【図２Ｂ】
2005510173.tif 000005
【図２Ｃ】
2005510173.tif 000006
【図３Ａ】
2005510173.tif 000007
【図３Ｂ】
2005510173.tif 000008
【図４】
2005510173.tif 000009
【図５】
2005510173.tif 000010
【図６】
2005510173.tif 000011
【図７】
2005510173.tif 000012
【図８Ａ】
2005510173.tif 000013
【図８Ｂ】
2005510173.tif 000014
【図８Ｃ】
2005510173.tif 000015
【図８Ｄ】
2005510173.tif 000016
【図９】
2005510173.tif 000017
【図１０】
2005510173.tif 000018
【図１１Ａ】
2005510173.tif 000019
【図１１Ｂ】
2005510173.tif 000020
【図１１Ｃ】
2005510173.tif 000021
【図１２】
2005510173.tif 000022
【図１３】
2005510173.tif 000023
【図１４】
2005510173.tif 000024
【図１５】
2005510173.tif 000025
【手続補正書】
【提出日】平成16年5月18日(2004.5.18)
【手続補正１】
【補正対象書類名】図面
【補正対象項目名】図８Ｄ
【補正方法】変更
【補正の内容】
【図８Ｄ】
2005510173.tif 000026
【国際調査報告】
2005510173.tif 000027
2005510173.tif 000028